(57)【特許請求の範囲】
【請求項１】
無線接続ネットワークプロファイルインデックスをシグナリングする方法であって、前記方法は、
第１のコンポーネントキャリア上で動作する第１のセルによって、第１の無線接続ネットワークプロファイルインデキシングメッセージをユーザ機器に送信するステップであって、前記第１の無線接続ネットワークプロファイルインデキシングメッセージは、複数の帯域幅部分構成に対応する複数の帯域幅部分インデックスを備える、ステップと、
前記第１のコンポーネントキャリアのデフォルト帯域幅部分の第１のリソースブロック上の前記第１のセルによって、前記複数の帯域幅部分構成のうちの第１の帯域幅部分構成に対応する第１の帯域幅部分インデックスを送信するステップと、を備え
前記複数の帯域幅部分構成のうち少なくとも１つは、
対応する帯域幅部分構成に関連付けられた帯域幅部分インデックス、
対応する帯域幅部分構成の周波数の位置、
周波数領域における帯域幅、
送信タイプ、および
前記送信タイプに関連付けられた１つまたはそれ以上の周期的リソース割当
を含み、
前記複数の帯域幅部分構成は、前記周波数領域の前記第１のコンポーネントキャリアに、少なくとも第１の帯域幅部分および第２の帯域幅部分を構成し、
前記第１の帯域幅部分は、前記第１のコンポーネントキャリアの第１の周波数範囲内に第１のセットのリソースブロックを有し、前記第２の帯域幅部分は前記第１のコンポーネントキャリアの第２の周波数範囲内に第２のセットのリソースブロックを有し、
前記第１の帯域幅部分と前記第２の帯域幅部分は、サイクリック・プレフィックスおよびサブキャリア・スペーシング構成を含む数秘学において異なる構成を有し、
前記第１および第２の周波数範囲は、（１）前記周波数領域において、少なくとも部分的に重複するか、または（２）前記周波数領域において、重複しない、
ことを特徴とする方法。
【請求項２】
前記送信タイプに関連付けられた周期的リソース割当は、少なくとも１つのアップリンク無許可リソース構成、または、少なくとも１つのセミパーシステントスケジューリング構成を含み、
前記複数の帯域幅部分構成のうち前記少なくとも１つは、さらに、
コントロールリソースセット構成、および
適用可能な無線リソース制御状態を有するデフォルト帯域幅部分表示
のうちの少なくとも１つを含むことを特徴とする、請求項１に記載の方法。
【請求項３】
前記第１の無線接続ネットワークプロファイルインデキシングメッセージは、少なくとも１つの無線リソース制御メッセージ、またはシステム情報の一部に含まれることを特徴とする請求項１に記載の方法。
【請求項４】
第１のダウンリンク制御情報メッセージの部分として、前記第１のリソースブロック上の第１のセルによって、前記第１の帯域幅部分構成を示すために、帯域幅部分インジケータフィールドを送信するステップと、
前記第１のセルによって、第２の複数のダウンリンク制御情報メッセージを送信するステップであって、前記第２の複数のダウンリンク制御情報メッセージは、前記第１の帯域幅部分構成のコントロールリソースセット構成に基づいて符号化される、ステップと、をさらに含むことを特徴とする請求項３に記載の方法。
【請求項５】
前記ユーザ機器によって、前記第１の無線接続ネットワークプロファイルインデキシングメッセージを復号するステップと、
前記ユーザ機器によって、前記第１の無線接続ネットワークプロファイルインデキシングメッセージを保存するステップと
前記ユーザ機器によって、前記第１のダウンリンク制御情報メッセージを復号して、前記第1のセルによって示される前記第１の帯域幅部分インデックスを取得するステップと、
前記ユーザ機器によって、前記第１の帯域幅部分構成の前記コントロールリソースセット構成に基づいて、前記第２の複数のダウンリンク制御情報メッセージを復号するステップと、をさらに含むことを特徴とする請求項４に記載の方法。
【請求項６】
前記第２の複数のダウンリンク制御情報メッセージは、前記ユーザ機器が前記第１のコンポーネントキャリア上でデータを送信および受信の少なくとも何れかのための第１の複数のデータリソースブロックを示すための第1の複数のリソースブロック割当をさらに示し、前記第１の複数のデータリソースブロックは、前記第１の帯域幅部分インデックスに対応する前記第１の帯域幅部分構成に基づいて符号化される、請求項５に記載の方法。
【請求項７】
前記第２の複数のダウンリンク制御情報メッセージは、
第１のセミパーシステントスケジューリングリソースブロック割当を有し、第１の帯域幅部分構成に提供される、第１のセミパーシステントスケジューリング構成をアクティベートするための第１のセミパーシステントスケジューリングアクティベーションメッセージであって、前記第１のセミパーシステントスケジューリング構成が、ダウンリンク、アップリンク、またはサイドリンク方向にあり、前記第１のセミパーシステントスケジューリングリソースブロック割当の前記ダウンリンク、アップリンク、またはサイドリンク方向は、前記第１のセミパーシステントスケジューリング構成によって決定される、第１のセミパーシステントスケジューリングアクティベーションメッセージと、
前記第１のセミパーシステントスケジューリング構成が、前記第１のセミパーシステントスケジューリングアクティベーションメッセージによってアクティベートされた後、前記第１のセミパーシステントスケジューリング構成をディアクティベートするための第１のセミパーシステントスケジューリングディアクティベーションメッセージと、を有することを特徴とする請求項４に記載の方法。
【請求項８】
前記ユーザ機器によって、前記第１のセミパーシステントスケジューリングリソースブロック割当を取得するために前記第１のセミパーシステントスケジューリングアクティベーションメッセージを復号するステップと、
前記ユーザ機器によって、前記第１のセミパーシステントスケジューリング構成および前記第１のセミパーシステントスケジューリングリソースブロック割当に従って、時間領域で連続的にパケットを送信または受信するステップと、
前記第１のセミパーシステントスケジューリングディアクティベーションメッセージを受信した後に、前記ユーザ機器によって前記第１のセミパーシステントスケジューリング構成を保留し、前記ユーザ機器によって前記第１のセミパーシステントスケジューリングリソースブロック割当を発行するステップと、をさらに含むことを特徴とする請求項７に記載の方法。
【請求項９】
前記ユーザ機器が前記第１のダウンリンク制御情報メッセージを復号した後に、前記ユーザ機器によって、第１のアップリンク無許可リソース上の少なくとも第１のアップリンク無許可パケットを送信するステップであって、前記第１のアップリンク無許可リソースは、前記第１の帯域幅部分構成において構成される、ステップ、をさらに含むことを特徴とする請求項４に記載の方法。
【請求項１０】
前記複数の帯域幅部分構成および前記対応する複数の帯域幅部分インデックスは、複数のコンポーネントキャリアの各々に対して独立して構成され、前記複数のコンポーネントキャリアは、前記ユーザ機器に対するプライマリセル、セカンダリセル、およびプライマリセカンダリセルうちの少なくとも１つによって動作される、請求項１に記載の方法。
【請求項１１】
第２の帯域幅部分インデックスを、第３のダウンリンク制御情報メッセージの部分として、第２のコンポーネントキャリアの第２のリソースブロック上の第２のセルによって送信するステップであって、前記第２の帯域幅部分インデックスは、前記第２のコンポーネントキャリアの第２の複数の帯域幅部分構成のうちの１つの第２の帯域幅部分構成に対応し、前記第２の帯域幅部分インデックスは、前記複数の帯域幅部分インデックスの部分であり、前記第２の複数の帯域幅部分構成は前記複数の帯域幅部分構成の部分である、ステップと、
前記第２の帯域幅部分インデックスを取得し、前記第２の複数の帯域幅部分構成のうちの対応する１つを識別するために、第２のコンポーネントキャリア上の前記ユーザ機器によって、前記第３のダウンリンク制御情報メッセージを復号するステップと、をさらに備える請求項１に記載の方法。
【請求項１２】
第２のセルによって、第４の複数のダウンリンク制御情報メッセージを送信するステップであって、前記第４の複数のダウンリンク制御情報メッセージは、前記ユーザ機器が前記第２のコンポーネントキャリア上でデータを送信および受信の少なくとも何れかのための、第２の複数のデータリソースブロックを示す第２の複数のリソースブロック割当をさらに示し、前記第４の複数のダウンリンク制御情報メッセージは、前記第２の帯域幅部分構成のコントロールリソースセット構成に基づいて符号化される、ステップと、
前記ユーザ機器によって、前記第２の帯域幅部分構成の前記コントロールリソースセット構成に基づいて、前記第４の複数のダウンリンク制御情報メッセージを復号するステップと、
前記ユーザ機器によって、前記第４の複数のダウンリンク制御情報メッセージ及び前記第２の複数のリソースブロック割当に基づいてパケットを送信または受信するステップと、を含むことを特徴とする請求項１１に記載の方法。
【請求項１３】
前記第４の複数のダウンリンク制御情報メッセージは、
第２のセミパーシステントスケジューリングリソースブロック割当を有し、第２の帯域幅部分構成に提供される、第２のセミパーシステントスケジューリング構成をアクティベートするための第２のセミパーシステントスケジューリングアクティベーションメッセージであって、前記第２のセミパーシステントスケジューリング構成が、ダウンリンク、アップリンク、またはサイドリンク方向にあり、前記第２のセミパーシステントスケジューリングリソースブロック割当の前記ダウンリンク、アップリンク、またはサイドリンク方向は、前記第２のセミパーシステントスケジューリング構成によって決定される、第２のセミパーシステントスケジューリングアクティベーションメッセージと、
前記第２のセミパーシステントスケジューリング構成が前記第２のセミパーシステントスケジューリングアクティベーションメッセージによってアクティベートされた後に、前記第２のセミパーシステントスケジューリング構成をディアクティベートするための第２のセミパーシステントスケジューリングディアクティベーションメッセージと、をさらに含むことを特徴とする請求項１２に記載の方法。
【請求項１４】
前記ユーザ機器によって、前記第２のセミパーシステントスケジューリングリソースブロック割当を取得するために、前記第２のセミパーシステントスケジューリングアクティベーションメッセージを復号するステップと、
前記第２のセミパーシステントスケジューリング構成および前記第２のセミパーシステントスケジューリングリソースブロック割当に基づいて、前記ユーザ機器によってパケットを周期的に送信または受信するステップと、
前記第２のセミパーシステントスケジューリングディアクティベーションメッセージを受信した後に、前記ユーザ機器によって前記第２のセミパーシステントスケジューリング構成を保留し、前記ユーザ機器によって前記第２のセミパーシステントスケジューリングリソースブロック割当を発行するステップをさらに含む、請求項１３に記載の方法。
【請求項１５】
前記ユーザ機器が前記第３のダウンリンク制御情報メッセージを復号した後に、前記ユーザ機器によって、第２のアップリンク無許可リソース上で少なくとも第２のアップリンク無許可パケットを送信するステップであって、前記第２のアップリンク無許可リソースは、前記第２の帯域幅部分構成において構成される、ステップを、さらに含むことを特徴とする請求項１１に記載の方法。
【請求項１６】
無線通信ネットワークにおける無線通信のためのユーザ機器であって、
コンピュータが実行可能な指示が具現化された１つ以上の不揮発性コンピュータ可読媒体と、
前記１つ以上の不揮発性コンピュータ可読媒体に結合され、前記コンピュータが実行可能な指示を実行して、
複数の帯域幅部分構成に対応する複数の帯域幅部分インデックスを備える第１の無線接続ネットワークプロファイルインデキシングメッセージを、第１のコンポーネントキャリア上で動作する第１のセルから受信し、
前記第１のコンポーネントキャリアのデフォルト帯域幅部分の第１のリソースブロック上の前記第１のセルから、前記複数の帯域幅部分構成のうちの第１の帯域幅部分構成に対応する第１の帯域幅部分インデックスを受信することを実行させるように構成された少なくとも１つのプロセッサと、を備えるユーザ機器であって、
前記複数の帯域幅部分構成のうち少なくとも１つは、
対応する帯域幅部分構成に関連付けられた帯域幅部分インデックス、
対応する帯域幅部分構成の周波数の位置、
周波数領域における帯域幅、
送信タイプ、および
前記送信タイプに関連付けられた１つまたはそれ以上の周期的リソース割当
を含み、
前記複数の帯域幅部分構成は、前記周波数領域の前記第１のコンポーネントキャリアに、少なくとも第１の帯域幅部分および第２の帯域幅部分を構成し、
前記第１の帯域幅部分は、前記第１のコンポーネントキャリアの第１の周波数範囲内に第１のセットのリソースブロックを有し、前記第２の帯域幅部分は前記第１のコンポーネントキャリアの第２の周波数範囲内に第２のセットのリソースブロックを有し、
前記第１の帯域幅部分と前記第２の帯域幅部分は、サイクリック・プレフィックスおよびサブキャリア・スペーシング構成を含む数秘学において異なる構成を有し、
前記第１および第２の周波数範囲は、（１）前記周波数領域において、少なくとも部分的に重複するか、または（２）前記周波数領域において、重複しない、
ことを特徴とするユーザ機器。
【請求項１７】
前記送信タイプに関連付けられた周期的リソース割当は、１つまたはそれ以上のアップリンク無許可リソース構成、または、セミパーシステントスケジューリング構成を含み、
前記複数の前記帯域幅部分構成のうち少なくとも一つは、さらに、
コントロールリソースセット構成、
セミパーシステントスケジューリング構成、および
適用可能な無線リソース制御状態を有するデフォルト帯域幅部分表示、
のうちの少なくとも１つを含むことを特徴とする請求項１６に記載のユーザ機器。
【請求項１８】
前記第１の無線接続ネットワークプロファイルインデキシングメッセージは、少なくとも１つの無線リソース制御メッセージ、またはシステム情報一部に含まれることを特徴とする請求項１６に記載のユーザ機器。
【請求項１９】
前記少なくとも１つのプロセッサは、前記コンピュータが実行可能な指示を実行して、
第１のダウンリンク制御情報メッセージの部分として、前記第１のリソースブロック上の前記第１のセルから、前記第１の帯域幅部分構成を示すために帯域幅部分インジケータフィールド受信し、
前記第１のセルから第２の複数のダウンリンク制御情報メッセージを受信し、前記第２の複数のダウンリンク制御情報メッセージは、前記第１の帯域幅部分構成のコントロールリソースセット構成に基づいて符号化される、ようにさらに構成される、請求項１８に記載のユーザ機器。
【請求項２０】
前記少なくとも１つのプロセッサは、前記コンピュータが実行可能な指示を実行して、
前記第１の無線接続ネットワークプロファイルインデキシングメッセージを復号し、
前記第１の無線接続ネットワークプロファイルインデキシングメッセージを保存し、
前記第１のダウンリンク制御情報メッセージを復号して、前記第１のセルによって示される前記第１の帯域幅部分インデックスを取得し、
前記第１の帯域幅部分構成の前記コントロールリソースセット構成に基づいて前記第２の複数のダウンリンク制御情報メッセージを復号するように、さらに構成される請求項１９に記載のユーザ機器。
【請求項２１】
前記第２の複数のダウンリンク制御情報メッセージは、前記ユーザ機器が前記第１のコンポーネントキャリア上でデータを送信および受信の少なくとも何れかのための第１の複数のデータリソースブロックを示すための第１の複数のリソースブロック割当をさらに示し、前記第１の複数のデータリソースブロックは、前記第１の帯域幅部分インデックスに対応する前記第１の帯域幅部分構成に基づいて符号化される、請求項２０に記載のユーザ機器。
【請求項２２】
前記第２の複数のダウンリンク制御情報メッセージは、
第１のセミパーシステントスケジューリングリソースブロック割当を有し、第１の帯域幅部分構成に提供される、第１のセミパーシステントスケジューリング構成をアクティベートするための第１のセミパーシステントスケジューリングアクティベーションメッセージであって、前記第１のセミパーシステントスケジューリング構成が、ダウンリンク、アップリンク、またはサイドリンク方向にあり、前記第１のセミパーシステントスケジューリングリソースブロック割当の前記ダウンリンク、アップリンク、またはサイドリンク方向は、前記第１のセミパーシステントスケジューリング構成によって決定される、第１のセミパーシステントスケジューリングアクティベーションメッセージと、
前記第１のセミパーシステントスケジューリング構成が、前記第１のセミパーシステントスケジューリングアクティベーションメッセージによってアクティベートされた後、前記第１のセミパーシステントスケジューリング構成をディアクティベーするための第１のセミパーシステントスケジューリングディアクティベーションメッセージと、をさらに有することを特徴とする請求項１９に記載のユーザ機器。
【請求項２３】
前記少なくとも１つのプロセッサは、前記コンピュータが実行可能な指示を実行して、
前記第１のセミパーシステントスケジューリングリソースブロック割当を得るために前記第１のセミパーシステントスケジューリングアクティベーションメッセージを復号し、
前記第１のセミパーシステントスケジューリング構成および前記第１のセミパーシステントスケジューリングリソースブロック割当に従って、時間領域で連続的にパケットを送信または受信し、
前記第１のセミパーシステントスケジューリングディアクティベーションメッセージを受信した後、前記第１のセミパーシステントスケジューリング構成を保留し、前記第１のセミパーシステントスケジューリングリソースブロック割当を発行するように、さらに構成される請求項２２に記載のユーザ機器。
【請求項２４】
前記少なくとも１つのプロセッサは、さらに前記コンピュータが実行可能な指示を実行して、前記ユーザ機器が前記第１のダウンリンク制御情報メッセージを復号した後、第１アップリンク無許可リソース上の少なくとも第１アップリンク無許可パケットを送信するように構成され、
前記第１アップリンク無許可リソースは、前記第１の帯域幅部分構成で構成される、請求項１９に記載のユーザ機器。
【請求項２５】
前記複数の帯域幅部分構成および前記対応する複数の帯域幅部分インデックスは、複数のコンポーネントキャリアの各々に対して独立して構成され、前記複数のコンポーネントキャリアは、前記ユーザ機器に対するプライマリセル、セカンダリセル、およびプライマリセカンダリセルうちの少なくとも１つによって動作される、請求項１６に記載のユーザ機器。
【請求項２６】
前記少なくとも１つのプロセッサは、前記コンピュータが実行可能な指示を実行して、
第２のコンポーネントキャリアの第２のリソースブロック上の第２のセルから第２の帯域幅部分インデックスを第３のダウンリンク制御情報メッセージの部分として受信し、前記第２の帯域幅部分インデックスは、前記第２のコンポーネントキャリアのための第２の複数の帯域幅部分構成内の第２の帯域幅部分構成に対応し、前記第２の帯域幅部分インデックスは、前記複数の帯域幅部分インデックスの部分であり、前記第２の複数の帯域幅部分構成は、前記複数の帯域幅部分構成の部分であり、
前記第２の帯域幅部分インデックスを取得し、前記第２の複数の帯域幅部分構成のうちの対応する１つを識別するために、前記第２のコンポーネントキャリア上で、前記第３のダウンリンク制御情報メッセージを復号するように、さらに構成される請求項１６に記載のユーザ機器。
【請求項２７】
前記少なくとも１つのプロセッサは、前記コンピュータが実行可能な指示を実行して、
前記第２のセルから、第４の複数のダウンリンク制御情報メッセージを受信し、前記第４の複数のダウンリンク制御情報メッセージは、前記第２のコンポーネントキャリア上で前記ユーザ機器がデータを送信および受信の少なくとも何れかのための第２の複数のデータリソースブロックを示す第２の複数のリソースブロック割当をさらに示し、前記第４の複数のダウンリンク制御情報メッセージは、前記第２の帯域幅部分構成のコントロールリソースセット構成に基づいて符号化され、
前記第２の帯域幅部分構成の前記コントロールリソースセット構成に基づいて、前記第４の複数のダウンリンク制御情報メッセージを復号し、
前記第４の複数のダウンリンク制御情報メッセージおよび前記第２の複数のリソースブロック割当に基づいてパケットを送信または受信するように、さらに構成される請求項２６に記載のユーザ機器。
【請求項２８】
前記第４の複数のダウンリンク制御情報メッセージは、
第２のセミパーシステントスケジューリングリソースブロック割当を有し、前記第２の帯域幅部分構成に提供される、第２のセミパーシステントスケジューリング構成をアクティベートするための第２のセミパーシステントスケジューリングアクティベーションメッセージであって、前記第２のセミパーシステントスケジューリング構成が、ダウンリンク、アップリンク、またはサイドリンク方向にあり、前記第２のセミパーシステントスケジューリングリソースブロック割当の前記ダウンリンク、アップリンク、またはサイドリンク方向は、前記第２のセミパーシステントスケジューリング構成によって決定される、第２のセミパーシステントスケジューリングアクティベーションメッセージと、
前記第２のセミパーシステントスケジューリング構成が前記第２のセミパーシステントスケジューリングアクティベーションメッセージによってアクティベートされた後に、前記第２のセミパーシステントスケジューリング構成をディアクティベートするための第２のセミパーシステントスケジューリングディアクティベーションメッセージと、をさらに含むことを特徴とする請求項２７に記載のユーザ機器。
【請求項２９】
前記少なくとも１つのプロセッサは、前記コンピュータが実行可能な指示を実行して、以下のステップを実行させるようにさらに構成されることを特徴とする請求項２８に記載のユーザ機器：
前記第２のセミパーシステントスケジューリングリソースブロック割当を取得するために前記第２のセミパーシステントスケジューリングアクティベーションメッセージを復号するステップ；
前記第２のセミパーシステントスケジューリング構成および前記第２のセミパーシステントスケジューリングリソースブロック割当に基づいて、前記ユーザ機器によってパケットを周期的に送信または受信するステップ；および
前記第２のセミパーシステントスケジューリングディアクティベーションメッセージを受信した後に、前記第２のセミパーシステントスケジューリング構成を保留し、前記第２のセミパーシステントスケジューリングリソースブロック割当を発行するステップ。
【請求項３０】
前記少なくとも１つのプロセッサは、さらに前記コンピュータが実行可能な指示を実行して、前記ユーザ機器が第３のダウンリンク制御情報メッセージを復号した後、第２のアップリンク無許可リソース上の少なくとも第２のアップリンク無許可パケットを送信するように構成され、前記第２のアップリンク無許可リソースは、前記第２の帯域幅部分構成で構成されることを特徴とする請求項２６に記載のユーザ機器。
【発明の詳細な説明】
【技術分野】
【０００１】
（関連出願とのクロスレファレンス）
本出願は、2016年12月27日に出願された仮の米国特許出願第62／439，434号、発明の名称「METHOD FOR SIGNALING RAN SLICING INDEX AND RADIO COMMUNICATION EQUIPMENT USING THE SAME」、代理人整理番号US60891（以下「US60891出願」という）の利益及び優先権を主張し、US 60891出願の開示は、参照により本願に完全に組み込まれる。
【０００２】
本発明は、一般に無線通信に関し、特に、帯域幅部分インデックスをシグナリングする方法およびそれを使用する無線通信装置に関する。
【背景技術】
【０００３】
新無線（ＮＲ）は、次世代（第５世代（５Ｇ））ワイヤレスネットワークの動作をサポートするためのキーテクノロジーとして、第３世代パートナーシッププロジェクト（３ＧＰＰ）において議論されている。ＮＲ技術は、フレキシブルな無線プロトコル構造およびアーキテクチャを提供し、例えば、高スループット、高信頼性、低遅延、および少エネルギ消費などの多種多様のサービスシナリオ要件に対応するよう期待されている。
【０００４】
ＲＡＮプロファイル（ＲＡＮスライシングとも呼ばれる）は、重要なＮＲ実現技術のうちの１つとして想定されている。無線接続ネットワーク内のセルが、波形パラメータ、符号化パラメータ、変調パラメータを含む物理レイヤのパラメータを適応的に構成して、基地局とそれぞれのユーザ機器（ＵＥ）との間の通信に適応することを可能にする。
【０００５】
セルが、ＲＡＮプロファイル設定を動的に構成し、該セルにおける各ユーザ装置の通信能力およびサービス要件に対応することが望ましい。しかしながら、上記ＵＥが基地局と通信（例えば、送受信）するたびにシグナリングオーバーヘッドが生じるおそれがあり、ネットワークリソースの浪費および相当のエネルギ消費につながる。
【０００６】
このため、本技術分野では、シグナリングオーバーヘッドおよび遅延を低減した、ＲＡＮプロファイル情報を提供する方法が必要とされている。
【図面の簡単な説明】
【０００７】
例示的な開示の態様は、添付の図面を参照して読むことによって、最もよく理解される。さまざまな構成は、原寸に比例して描かれておらず、さまざまな構成の寸法は、記載を明確にする目的で、任意で拡大または縮小してもよい。
【図１】本出願の例示的な実施形態による、セルの無線接続ネットワーク(radio access profile)プロファイル動作を示す図である。
【図２Ａ】図２Ａは、本出願の例示による、ペア帯域幅部分(BWP:paired bandwidth Microscope)構成を示す図である。
【図２Ｂ】図２Ｂは、本出願の例示による、非ペアＢＷＰを示す図である。
【図３】図３は、本出願の例示的な実施形態による、ＲＡＮプロファイルインデックスシングをシグナリングするための方法を示す図である。
【図４】図４は、本出願の例示的な実装による、セル固有のＲＡＮプロファイルインデックスシング動作を示す。
【図５】図５は、本出願の例示的な実施形態による、ユーザ固有のＲＡＮプロファイルインデックスシング動作を示す。
【図６】図６は、本出願の例示的な実施形態による、インデックス信号のためのＲＡＮプロファイルインデックス形式を示す図である。
【図７】図7は、本出願の例示的な実施形態による、ビットマップインデックスシング形式の図を示す。
【図８Ａ】図８Ａは、本出願の例示的な実施形態による、ダウンリンク制御情報（ＤＣＩ）を使用するＢＷＰスイッチング手順を示す図である。
【図８Ｂ】図８Ｂは、本出願の例示的な実施形態による、ＤＣＩを使用するＢＷＰアクティベーション処理を示す図である。
【図９Ａ】図９Ａは、本出願の例示的な実施形態による、キャリアアグリゲーション(CA:carrier aggregation)の下でのＲＡＮプロファイルインデックス提供の方法を示す図である。
【図９Ｂ】図９Ｂは、本出願の例示的な実施形態による、キャリアアグリゲーション(carrier aggregation)(CA)の下でのＲＡＮプロファイルインデックス提供の方法を示す別の図である。
【図１０Ａ】図１０Ａは、本出願の例示的な実施形態による、ＢＷＰインジケータフィールド（ＢＩＦ）を有するＤＣＩ形式を示す図である。
【図１０Ｂ】図1０Ｂは、本出願の例示的な実施形態による、ＢＩＦおよびキャリアインジケータフィールド(CIF:Carrier Indicator Filed)を有するＤＣＩ形式を示す図である。
【図１１Ａ】図１１Ａは、本出願の例示的な実施形態による、複数のリソースブロック割当を伴う２レベルＤＣＩのフレーム構造の概略図である。
【図１１Ｂ】図１１Ｂは、本出願の例示的な実施形態による、複数のリソースブロック割当を伴う２レベルＤＣＩの方法を示す図である。
【図１２】図１２は、本出願の例示的な実施形態による、ＢＷＰにおけるSPS／GF無線リソースを示す図である。
【図１３Ａ】図１３Ａは、本出願の例示的な実施形態による、ＳＰＳ（Semi−Persistent−Scheduling）リソースによるRANプロファイルインデックス提供の方法を示す図である。
【図１３Ｂ】図１３Ｂは、本出願の例示的な実施形態による、ＤＬ  ＳＰＳリソース受信を示す図である。
【図１４Ａ】図１４Ａは、本出願の例示的な実施形態による、無許可(GF:grant free)リソース送信によるＲＡＮプロファイルインデックス提供の方法を示す図である。
【図１４Ｂ】図１４Ｂは、本出願の実施形態による、ＵＬ  ＧＦリソース送信を示す図である。
【図１５】図１５は、本出願の例示的な実施形態による、デュアル接続（ＤＣ）の下でのＲＡＮプロファイルインデックス提供の方法を示す図である。
【図１６Ａ】図１６Ａは、本出願の例示的な実施形態による、デュアル接続におけるＲＡＮプロファイルインデックス取得を示す概略図である。
【図１６Ｂ】図１６Ｂは、本出願の例示的な実施形態による、デュアル接続におけるＲＡＮプロファイルインデックス取得を示す図である。
【図１７】図１７は、本出願の例示的な実施形態による、サイドリンク機構のためのＲＡＮプロファイルインデックス提供を示す図である。
【図１８】図１８は、本出願の例示的な実施形態による、セル用の無線通信機器を示すブロック図である。
【発明を実施するための形態】
【０００８】
以下の記載は、本出願における実施態様に関する特定情報を含む。本出願における図面およびそれに伴う詳細な記載は、例示的な実施態様を対象としているにすぎない。特に断りのない限り、図の中で同様のまたは対応する要素は、同様のまたは対応する参照番号によって示されてもよい。さらに、本出願における図面および説明は、一般的に原寸に比例しておらず、実際の相対寸法に対応することは意図されていない。
【０００９】
整合性と容易な理解を目的として、同様の構成は、（いくつかの例では図示されないが、）例示的な図における数字によって、同一のものとみなす。しかしながら、異なる実施態様における構成は、他の点で異なっていてもよいため、図示される構成に狭く限定すべきではない。
【００１０】
本記載では、同一のまたは異なる実施態様のうちの１つ以上を指してもよい「１つの実施態様では、」または「いくつかの実施態様では、」という表現を使用する。「結合された（coupled）」という用語は、介入する要素を通じて直接的または間接的に接続されたと定義され、必ずしも物理的接続に限定されない。「含む（comprising）」という用語は、該用語が使用されるとき、「〜を含むが、〜だけに限定されない」を意味し、つまり、オープンエンド形式の包含またはそのような形式で記載された組み合わせ、グループ、系列およびその同等物における構成要素を特に意味する。
【００１１】
さらに、説明と非制限を目的として、例えば機能エンティティ、技術、プロトコル、基準などの具体的詳細は、記載された技術の理解を提供するために示される。他の例では、周知の方法、技術、システム、アーキテクチャなどについての詳細な記載は、不要な詳細によって記載を不明瞭にしないために、省略する。
【００１２】
当業者は、本開示に記載されている任意のネットワーク機能またはアルゴリズムが、ハードウェア、ソフトウェア、またはソフトウェアとハードウェアとの組み合わせによって実行されてもよいことを直ちに理解するだろう。記載された機能は、ソフトウェア、ハードウェア、ファームウェア、またはこれらの任意の組み合わせであり得るモジュールに対応してもよい。ソフトウェアのインプリメンテーションは、例えばメモリまたは他の種類の記憶装置などのコンピュータ読み取り可能な媒体に記憶されたコンピュータ実行可能命令を含んでもよい。例えば、通信処理能力を有する１つ以上のマイクロプロセッサまたは汎用コンピュータは、対応する実行可能命令でプログラム化され、記載されているネットワーク機能またはアルゴリズムを実行してもよい。上記マイクロプロセッサまたは汎用コンピュータは、特定用途向け集積回路（ＡＳＩＣ）、プログラマブルロジックアレイでできていてもよい、および／または、１つ以上のデジタルシグナルプロセッサ（ＤＳＰ）を用いてもよい。本明細書に記載されている例示的な実施態様のうちのいくつかがコンピュータハードウェアにインストールされ、該ハードウェア上で実行されるソフトウェアを対象としているが、ファームウェアとして、あるいは、ハードウェアまたはハードウェアとソフトウェアとの組み合わせとして実行される代替の例示的な実施態様は十分、本開示の範囲内である。
【００１３】
上記コンピュータ読み取り可能な媒体の例としては、ランダムアクセスメモリ（ＲＡＭ）、読み取り専用メモリ（ＲＯＭ）、消去可能プログラム可能読み取り専用メモリ（ＥＰＲＯＭ）、電気的消去可能プログラム可能読み取り専用メモリ（ＥＥＰＲＯＭ、登録商標）、フラッシュメモリ、コンパクトディスク読み取り専用メモリ（ＣＤ−ＲＯＭ）、磁気カセット、磁気テープ、磁気ディスク記憶装置、またはコンピュータ読み取り可能な命令を記憶することが可能な任意の他の同等の媒体が挙げられるが、これらに限定されない。
【００１４】
本出願は、ＲＡＮプロファイルインデキシングメカニズムを採用して、ＲＡＮパラメータをシグナリングし、送受信オペレーションを容易にする方法であって、無線アクセスネットワークにおけるセルと少なくとも１つの移動局（例えば、ＵＥ）との間で、ＲＡＮプロファイルインデックスは、物理層構成に対応することを特徴とする方法を提供する。上記インデキシングメカニズムを用いてＲＡＮプロファイル情報を示すことによって、ＮＲネットワークシステムの柔軟性をサポートしつつ、ＲＡＮプロファイルに発生するシグナリングオーバーヘッドの量および遅延を大きく低減させることができる。
【００１５】
無線通信ネットワークアーキテクチャ（例えば、ロングタームエボリューション（ＬＴＥ）システム、ＬＴＥアドバンスト（ＬＴＥ−Ａ）システム、またはＬＴＥアドバンストＰｒｏシステム）は、少なくとも１つの基地局、少なくとも１つのユーザ装置（ＵＥ）、およびネットワークへの接続を提供する１つ以上の任意のネットワーク要素を典型的に含む。上記ＵＥは、上記ネットワーク（例えば、コアネットワーク（ＣＮ）、進化型パケットコア（ＥＰＣ）ネットワーク、発展型ユニバーサル無線地上波アクセス（Ｅ−ＵＴＲＡ）ネットワーク、次世代コア（ＮＧＣ）、またはインターネット）と、上記基地局によって設定された無線アクセスネットワーク（ＲＡＮ）を通じて、通信する。
【００１６】
本出願において、ＵＥとしては、移動局、携帯ＵＥまたは携帯機器、ユーザ通信無線ＵＥが挙げられるが、これらに限定されないことに留意されたい。例えば、ＵＥは、携帯無線装置であってもよく、該携帯無線装置としては、無線通信能力を有する携帯電話、タブレット、ウェアラブルデバイス、センサ、または個人用デジタル補助装置（ＰＤＡ）が挙げられるが、これらに限定されない。上記ＵＥは、無線アクセスネットワークにおける１つ以上のセルと、電波インターフェース上で、信号を送受信するよう構成されている。
【００１７】
基地局としては、ＬＴＥにおいて見られるようなノードＢ（ＮＢ）、ＬＴＥ−Ａにおいて見られるような進化型ノードＢ（ｅＮＢ）、ＵＭＴＳにおいて見られるような無線ネットワークコントローラ（ＲＮＣ）、ＧＳＭ／ＧＥＲＡＮにおいて見られるような基地局コントローラ（ＢＳＣ）、ＮＲにおいて見られるような新しい無線進化型ノードＢ（ＮＲｅＮＢ）、ＮＲにおいて見られるような次世代ノードＢ（ｇＮＢ）、および無線通信を制御し、セル内の無線リソースを管理することが可能な任意の他の装置が挙げられるが、これらに限定されない。上記基地局は、１つ以上のＵＥに対応するために、無線インターフェースを通じてネットワークに接続してもよい。
【００１８】
基地局は、以下の無線アクセス技術（ＲＡＴ）のうちの少なくとも１つに従って、通信サービスを提供するよう構成されている。上記無線アクセス技術（ＲＡＴ）としては、マイクロ波アクセスのための世界相互運用性（ＷｉＭＡＸ）、グローバルモバイル通信システム（ＧＳＭ（登録商標）、２Ｇと称されることが多い）、ＧＳＭ  ＥＤＧＥ無線アクセスネットワーク（ＧＥＲＡＮ）、汎用パケット無線システム（ＧＲＰＳ）、基本広帯域符号分割多元接続（Ｗ−ＣＤＭＡ）に基づいたユニバーサル・モバイル・テレコミュニケーション・システム（ＵＭＴＳ、３Ｇと称されることが多い）、高速パケットアクセスシステム（ＨＳＰＡ）、ＬＴＥ、ＬＴＥ−Ａ、新しい無線（ＮＲ、５Ｇと称されることが多い）および／またはＬＴＥ−Ａ  Ｐｒｏが挙げられる。しかしながら、本出願の範囲は、上記のプロトコルに限定すべきではない。
【００１９】
上記基地局は、無線アクセスネットワークを形成する複数のセルを用いて、特定の地理的領域に無線カバレッジを提供するよう機能する。上記基地局は、上記セルのオペレーションをサポートする。各セルは、参照することによっても本書に含まれる３ＧＰＰ  ＴＳ３６．３００によって示された、その無線カバレッジ内の少なくとも１つのＵＥにサービスを提供するよう機能する。より具体的には、各セル（サービングセルと称されることが多い）は、そのセルカバレッジ内の１つ以上のＵＥに対応するためにサービスを提供する（例えば、各セルは、その無線カバレッジ内の少なくとも１つのＵＥに対して、ダウンリンクおよび任意でアップリンクリソースを、ダウンリンクおよび任意でアップリンクパケット送信のために、スケジューリングする）。上記基地局は、上記複数のセルを通じて、上記無線通信システムにおける１つ以上のＵＥと通信することができる。セルは、近接サービス（ＰｒｏＳｅ）をサポートするために、サイドリンク（ＳＬ）リソースを割当てもよい。各セルは、他のセルとの重複カバレッジ領域を有していてもよい。
【００２０】
上述の通り、ＮＲのフレーム構造は、高信頼性、高データ速度、低遅延要件を満たしつつ、例えば高速大容量（ｅＭＢＢ）、大量のＵＥによる通信（ｍＭＴＣ）、超高信頼低遅延（ＵＲＬＬＣ）などのさまざまな次世代（例えば、５Ｇ）通信要件により効率的に対応するために、フレキシブルな構成をサポートすることを目的としている。３ＧＰＰにおいて取り決められているような直交周波数分割多重（ＯＦＤＭ）は、ＮＲ波形の基準として機能してもよい。例えばアダプティブサブキャリアスペーシング、チャネルバンド幅、およびサイクリックプレフィックス（ＣＰ）などのスケーラブルＯＦＤＭ数秘学もまた使用してもよい。さらに、ＮＲには、３つの候補符号化体系、すなわち（１）低密度パリティ検査（ＬＤＰＣ）、（２）ポーラ符号、および（３）ターボ符号が考えられる。符号化体系アダプテーションは、チャネル条件および／またはサービスアプリケーションに基づいて構成されてもよい。
【００２１】
さらに、１つのＮＲフレームの伝送時間間隔ＴＸには、ダウンリンク（ＤＬ）送信データ、ガード期間、およびアップリンク（ＵＬ）送信データを少なくとも含めるべきであり、該ＤＬ送信データ、該ガード期間、および該ＵＬ送信データそれぞれの部分もまた、例えば、ＮＲのネットワークの動態に基づいて、構成可能であるべきであるということも考えられる。
【００２２】
本出願の例示的な実施態様によれば、さまざまなＲＡＮプロファイル技術が、ＮＲにおける上記のフレキシビリティをサポートするために、採用される。図１は、本出願の例示的な実施態様に係る、セルのＲＡＮプロファイルオペレーションを示す図である。図１において、各々のＲＡＮプロファイルは、対応する帯域幅部分(Bandwidth Microscope)構成から構成される。図１に示すように、コンポーネントキャリア１００Ａは、ＢＷＰ１０１、１０３、および１０５を含む。さらに、セルは、無線接続ネットワークで異なるＵＥに異なるリソースブロックＲＢ１、ＲＢ２、ＲＢ３、ＲＢ４、およびＲＢ５を割当ることができる。各ＲＢは、周波数領域におけるいくつかのサブキャリアおよび時間領域におけるいくつかのシンボルに及ぶリソース要素のグループを含むがこれらに限定されない無線リソースのセットを表す。図１に示すように、サブフレーム１０４の送信は、サブフレーム１０６の送信に先行する。無線接続ネットワークにおいて、各々のＢＷＰは、異なった物理階層（ＰＨＹ）構成を提供するように構成してもよい。
【００２３】
各々のＢＷＰ構成は、以下のうちの少なくとも1つを含んでもよいＰＨＹ構成を備えてもよい。
・サイクリック・プレフィックスとサブキャリア・スペーシング構成を持つ数秘学。
・周波数領域における帯域幅。
・ＢＷＰ構成の周波数位置。
・ＵＥが制御シグナリングを監視および復号するための制御探索空間構成を含むことがで
きる制御リソース集合（CORESET）構成。
・送信タイプ（例えば、ＤＬ、ガード、ＳＬ、またはＵＬ）。
・アップリンク（ＵＬ）無許可レソース構成。
・セミパーシステントスケジューリング（ＳＰＳ）構成。
・適用可能なＲＲＣ状態を有するデフォルトＢＷＰ指示。
・ＢＷＰ構成に対応するＢＷＰインディケータ（例えば、ＢＷＰインデックス）。
【００２４】
さらに、各々のＢＷＰ構成は、符号化方式、変調方式などを含むこともできる。
【００２５】
異なるＢＷＰは、異なるＰＨＹ構成を有してもよい。例えば、ＢＷＰ１０１に基づいて構成されるサブフレーム１０４内のＲＢ１およびRB4は、15kHzサブキャリアスペーシング、0．25ms送信時間間隔（TTI）、DL送信のためのLDPC符号化を用いて構成されてもよく、ＢＷＰ１０３に基づいて構成されるサブフレーム１０４内のＲＢ２は、60kHzサブキャリアスペーシング、0．75ms TTI、およびＵＬ送信のためのターボ符号化を用いて構成されてもよい。セル（例えば、LTE／LTE−ＡにおけるeNB、ＮＲにおけるNR eNB、またはＮＲにおけるＮＲ ｇＮＢ）は、ＵＥ１およびＵＥ２の性能に応じて、サブフレーム１０４内のリソースブロックＲＢ１およびＲＢ４をＵＥ１に割当、サブフレーム１０４内のＲＢ２をＵＥ２に割当ることができる。
【００２６】
セルは、セルとＵＥとの間のチャネルクオリティ（例えば、ＣＱＩ）、ＵＥおよび／または利用可能なネットワークリソースのサービス要件のような要求される送信／受信基準に依存して、後続の送信フレーム（例えば、サブフレーム１０６）において同じＵＥへのＢＷＰ構成を再構成することができる。例えば、サブフレーム１０６は、同じＵＥに対して、サブフレーム１０４内のＲＢ１とは異なるＢＷＰ構成を有するＲＢ１を有してもよい。対照的に、セルは、同じＵＥへの後続の伝送フレームにおけるＢＷＰ構成を再構成または指示する必要がない。例えば、ＢＷＰ１０５はＵＥに構成され、ＲＢ５はサブフレーム１０４においてこのＵＥに割当られる。次いで、セルは、設定されたＢＷＰ(例えば、ＢＷＰ１０５）をＵＥにさらに指示することなく、サブフレーム１０６において同じＵＥにＲＢ５を割当てもよい。したがって、ＵＥは、ＢＷＰ１０５のＰＨＹ構成に基づいて、サブフレーム１０６の所与のＲＢ５上で送信／受信パケットを保持することができる。さらに、1つのＢＷＰにおける各リソースブロックのサイズは、変化してもよく、スケジューリング動作に基づいて動的に構成されてもよい。例えば、サブフレーム１０４に割当られたＢＷＰ１０５のＲＢ５のサイズは、サブフレーム１０６のＲＢ５（これもＢＷＰ１０５のＰＨＹ構成によって構成される）のサイズよりも小さい。
【００２７】
セルは、ネットワーク動作またはアプリケーションに基づいてＲＡＮプロファイル設定（例えば、各々がＰＨＹ構成を有するＢＷＰ構成）を動的に構成することができるので、セルは、セルカバレージ内の1つ以上のＵＥと常に通信し、対応するＲＢを適切に符号化／復号することができるように、ＰＨＹ構成適用情報をＵＥに送信する必要があり得る。結果として、本出願の実施形態は、これらの動的ＰＨＹ構成から生じるシグナリングオーバーヘッドの量を減少させることができるＮＲ通信システムのためのＲＡＮプロファイルインデキシングシグナリングメカニズムを提供し、それによって、送信中の無線リソースの消費、ならびにエンドツーエンド送信に生じる遅延を減少させる。
【００２８】
本出願の例示的な実施によれば、ＮＲ通信システムは、少なくとも1つの基地局および少なくとも1つのＵＥを含む。基地局は、複数のセルを用いて無線接続ネットワークを形成する所定の地理的領域に対して無線カバレージを提供する。セルは基地局に通信可能にリンクされ、基地局はセルの動作を調整する。セルは、1つまたは複数のオーバーラップしたカバレッジエリアを有することができる。各セルは、そのセルカバレージ内のそれぞれのＵＥにダウンリンクリソースおよびアップリンクリソースを動作可能に割当、スケジュールする。おのおののセルは、さらに、プロキシミティサービス（ＰｒｏＳｅ）通信をサポートするためにサイドリンク（ＳＬ）リソースを割当うる。
【００２９】
各セルは、ＲＡＮプロファイルインデックシング動作を実行し、複数のＲＡＮプロファイルに対応する複数のＲＡＮパラメータのセットを定義する。各ＲＡＮプロファイルは、ＰＨＹ構成を有する対応するＢＷＰ構成から構成され、各ＢＷＰ構成は、対応するＢＷＰインデックスによって識別される。
【００３０】
ＲＡＮプロファイルインデックスシング動作中、セルは、対応するＢＷＰインデックス（例えば、ＢＷＰインデックス１〜Ｎ。Ｎは整数）をそれぞれのＢＷＰ構成１〜ＮのＰＨＹ構成１〜Ｎのそれぞれに割当る。各々のＢＷＰインデックスは、対応するＢＷＰ構成（例えば、ＬＴＥ／ＬＴＥ−ＡシステムにおけるＬ１構成）のＰＨＹ構成との特異的なマッピングを有する。ＢＷＰインデックス１〜Ｎの各々とＰＨＹ構成物１〜Ｎの各々とは、１対１の対応関係を有する。例えば、ＢＷＰインデックス＃1は、ＢＷＰ構成＃1（ＢＷＰ＃１）のＰＨＹ構成に対応するように構成されてもよく、ＢＷＰインデックス＃２は、ＢＷＰ構成＃２（ＢＷＰ＃２）のＰＨＹ構成に対応するように構成されてもよく、以下同様である。
【００３１】
その後、各セルは、ＲＡＮパラメータの特定のセットに対応するＢＷＰインデックスを簡単に送信することができ、ＲＡＮパラメータの特定のセットは、ＢＷＰの特定のＰＨＹ構成に対応する。さらに、ＵＥは、基地局が同じセル内のＵＥのためのＰＨＹ構成物を切り替えるまで、セル内の後続のパケット送信／受信におけるＢＷＰの所与のＰＨＹ構成物に基づいてＲＢを符号化および／または復号し続けることができる。すなわち、ＢＷＰインデックスは、後続の送信／受信中に対応するＵＥに割当られた対応するＲＢに適用されるＲＡＮプロファイルの種類を表し、それによって、生じ得るシグナリングオーバーヘッドおよび遅延を大幅に低減する。
【００３２】
一実施形態では、各セルは、ＢＷＰインデックスをブロードキャストすることによって（例えば、システム情報をブロードキャスト送信することによって）ＲＡＮプロファイル適応を周期的にシグナリングし、ＲＡＮプロファイルインデックス動作を実行した後に、セルとセル内のそれぞれの1つまたは複数のＵＥとの間の送信および受信動作を容易にすることができる。
【００３３】
いくつかの実施形態では、ＵＥがセルカバレッジに入るとき（例えば、ＵＥへの専用無線リソース制御シグナリングを介して）、またはＵＥからシステムインフォメーション（ＳＩ）に対するリクエストを受信するときに、それぞれのセルは、ユニキャスト送信を使用して、そのセルカバレッジ内の１つまたは複数のＵＥにＲＡＮプロファイルインデックス情報を送信することができる。
【００３４】
図２Ａは、本出願の実施形態による、例示的なペアＢＷＰ構成を示す図である。コンポーネントキャリア２００Ａにおいて、ペアＢＷＰ２０２Ａは、時分割デュプレクス（ＴＤＤ）によるダウンリンク動作およびアップリンク動作の両方のためのスペクトルと、共有ＰＨＹ構成（の一部）とを含む。ペアＢＷＰ構成のための一実施態様では、ＤＬ／ＵＬ分割の構成は、ペアＢＷＰ構成のＰＨＹ構成の部分である。したがって、ＵＥは、対応するＢＷＰ構成のＢＷＰインデックスを取得した後、ＤＬ／ＵＬ分割の構成を読み出すことができる。いくつかの他の実施形態では、ネットワークは、示されたＢＷＰ構成のＣＯＲＥＳＥＴ構成のうちの少なくとも1つに基づいて符号化および多重化される、別の制御シグナリングによるＤＬ／ＵＬ分割の構成を配信することができる。したがって、ＵＥは、示されたＢＷＰ構成の読み出されたＣＯＲＥＳＥＴ構成に基づいて制御シグナリングを検索することによって、構成ＤＬ／ＵＬ分割を取得することができる。
【００３５】
図２Ｂは、本出願の実施形態による、例示的な非ペアＢＷＰを示す図である。図２Ｂに示されるように、ＤＬおよびＵＬ・ＢＷＰはそれぞれ、別個のコンポーネントキャリアで構成される。例えば、非ペアＢＷＰ２０２Ｂは、コンポーネントキャリア２００ＢにダウンリンクＢＷＰのスペクトルを含み、一方、非ペアＢＷＰ２０２Ｃは、コンポーネントキャリア２００ＣにアップリンクＢＷＰのスペクトルを含む。一実施実施例では、非ペアＢＷＰの場合、ＤＬ・ＢＷＰ２０２ＢおよびＵＬ・ＢＷＰ２０２Ｃは、異なる帯域幅に共同で構成することができる。
【００３６】
図３は、本出願の例示的な実施形態による、ＲＡＮプロファイルインデックスシングをシグナリングするための方法を示す図を示す。
【００３７】
動作３１０において、セル３０４は、コンポーネントキャリア上で動作し、例えば、ブロードキャストチャンネル（ＢＣＨ）を使用して、そのセルカバレッジ内の１つ以上のＵＥにＲＡＮプロファイルインデックスシングメッセージを（例えば、周期的または非周期的に）送信する。ＲＡＮプロファイルインデキシングメッセージは、複数のRANパラメータのセットについての情報を少なくとも含み、各ＲＡＮパラメータのセットは、特定のＢＷＰの設定（例えば、ＢＷＰ構成）に対応する。ＲＡＮプロファイルインデキシングメッセージはまた、複数のＲＡＮパラメータのセットに対応する複数のＢＷＰインデックスを含む。複数のＲＡＮパラメータのセットの各々は、特定のＰＨＹ構成に対応する。ＰＨＹ構成は、それぞれ、ＢＷＰの特定のＢＷＰ構成に対応するＢＷＰインデックスにマッピングすることができる。ＵＥ３０２は、RANプロファイルインデキシングメッセージを受信すると、ＢＷＰ構成（例えば、ＰＨＹ構成）を有するＲＡＮプロファイルインデキシング情報と、後続の送信／受信動作のための対応するＢＷＰインデックスとを保存する。本実施形態では、セル３０４は、ＮＲ通信ネットワークにおけるＮＲ  ｅＮＢ／ｇＮＢまたはＬＴＥ／ＬＴＥ−Ａ通信ネットワークにおけるｅＮＢであり得ることに留意されたい。
【００３８】
動作３２０Ａにおいて、セル３０４は、物理ダウンリンク制御チャネル（Physical Downlink Control Channel:PDCCH）内のダウンリンク制御情報（ＤＣＩ）メッセージを使用して、ＵＥ３０２に送信し、ＤＣＩメッセージは、１つの特定のＢＷＰ構成に対応するＢＷＰインデックスを含むことができる。例えば、セル３０４が、ダウンリンク（DL）送信のために物理ダウンリンク共有チャンネル（ＰＤＳＣＨ）でＢＷＰ構成＃２（すなわち、ＢＷＰ＃２）のＰＨＹ構成を適用することを決定する場合、セル３０４は、ＢＷＰインデックス＃２を示す情報を含むＤＣＩメッセージをＰＤＣＣＨを介してＵＥ３０２に送信することができる。動作３２２Ａにおいて、ＵＥ３０２は、ＤＣＩメッセージを復号して、ＢＷＰインデックス（例えば、ＢＷＰインデックス＃２）を読み取り、復号されたＢＷＰインデックスに基づいて、ＵＥ３０２は、セル３０４との後続の通信のために、対応するＢＷＰの対応するＰＨＹ構成（例えば、ＢＷＰ＃２のＰＨＹ構成）をさらに読み取ることができる。そして、ＵＥ３０２は、ＢＷＰ構成＃２のＰＨＹ構成に基づいて、後続のＤＬパケットを連続的に復号することができる。
【００３９】
動作３２０Ｂにおいて、セル３０４は、ＰＤＣＣＨにおいてＤＣＩメッセージをＵＥ３０２に送信する。ＤＣＩメッセージは、リソースブロック割当情報を含むことができる。例えば、セル３０４が、ＢＷＰ＃２のＰＨＹ構成がＵＥ３０２へのダウンリンク（ＤＬ）送信に適用される物理的ダウンリンク共有チャネル（ＰＤＳＣＨ）において特定のリソースブロック（例えば、図１のＲＢ１）を割当ることを決定した場合、ＤＣＩメッセージは、例えば、データ送信のため後続のＰＤＳＣＨのために割当られたＲＢ１の割当を示す情報を含み得る。
【００４０】
動作３３０において、ＵＥ３０２は、ＤＣＩメッセージを復号して、例えば、データ伝送のための後続のＰＤＳＣＨにおける、割当られたＲＢ（例えば、ＲＢ１）の割当情報を読み取る。
【００４１】
一実施形態では、動作３２０Ａにおける特定のＲＡＮプロファイル（ＢＷＰ構成）に対する複数のＰＨＹ構成セットのうちの１つに対応するＢＷＰインデックスと、動作３２０Ｂにおけるリソースブロック割当情報とが、単一のＤＣＩメッセージにおいてセル３０４からＵＥ３０２に送信され得、そのケースでは、ＵＥ３０２は、ＤＣＩメッセージを復号して、ＢＷＰインデックス（次いで、対応するＰＨＹ構成）とリソースブロック割当情報との両方を読み出し得る。
【００４２】
一実施形態では、セル３０４は、スケジューリング動作を通じてＰＤＳＣＨ内のリソースブロックを割当ることができる。スケジューリングは、当技術分野において既知のリソース配分技術を含み得、その説明は、簡潔にするためにここでは省略される。
【００４３】
動作３４０において、セル３０４は、ＵＥ３０２の割当られたリソースブロック（例えば、ＲＢ１）に、ダウンリンクデータを含むＰＤＳＣＨを送信する。
【００４４】
動作３５０において、ＵＥ３０２は、ＢＷＰ（例えば、ＢＷＰ＃２）に対応するＰＨＹ構成に従って、ＰＤＳＣＨ内の割当られたリソースブロック（例えば、ＲＢ１）を復号する。ＲＡＮプロファイルのためのインデキシング機構を使用することによって、ＵＥ３０２は、追加のＰＨＹ構成情報を必要とせずに、セル３０４から受信されたインデックス情報でＤＬ送信データを復号することができ、それによって、シグナリングオーバーヘッドおよび遅延を低減する。
【００４５】
一実施形態では、セル３０４は、そのセルカバレッジ内の１つまたは複数のＵＥからシステム情報に対する要求を受信すると、ＲＡＮプロファイルインデックス動作を実行し、ＲＡＮプロファイル設定を更新（例えば、ＢＷＰパラメータおよびインデックスの再構成）することができる。次いで、セル３０４は、そのセルカバレージ内のそれぞれのＵＥに、ＲＡＮプロファイル設定に対する更新または変更を送信することができる。
【００４６】
一実施形態では、セル３０４は、バックホール機能およびサービスアプリケーションプロセスのタイプを示す報告をコアネットワーク（ＣＮ）から受信すると、ＲＡＮプロファイルインデックス動作を実行し、ＲＡＮプロファイル設定をアップデートする（例えば、ＢＷＰ構成およびＢＷＰインデックスを再構成する）ことができる。次いで、セルは、そのセルカバレージ内のＵＥに通知するために、ＲＡＮプロファイル設定に対する更新または変更をブロードキャスト送信することができる。
【００４７】
一実施形態では、対応するＢＷＰインデックスを有する同じリソースブロックを同じＵＥに割当ることが有利であり得る。別の実施形態では、対応するＢＷＰインデックスを有する同じリソースブロックを異なるＵＥに割当ることが有利であり得る。さらに別の実施形態では、対応するＢＷＰインデックスを有する異なるリソースブロックを異なるＵＥに割当ることが有利であり得る。
【００４８】
たとえば、セルがそのセルカバレージ内で２つのＵＥ（たとえば、ＵＥ１およびＵＥ２）と通信している場合に、セルは、同じリソースブロックを両方のＵＥに割当ることができるが、異なる変調スキームを示す異なるＢＷＰインデックスを割当ることもできる。例えば、セルは、ＵＥ１に、割当られたＲＢを受信すると非直交多重化を適用することを要求し、ＵＥ２に、割当られたＲＢを受信すると直交多重化を適用することを要求することができる。
【００４９】
一実施形態では、基地局は、複数の無線通信機器を備えることができる。複数の無線通信装置は、複数のセルの動作をサポートするように構成される。より具体的には、無線通信機器はそれぞれ、そのセルカバレージ内の１つまたは複数のＵＥに、アップリンクリソース、ダウンリンクリソース、および／またはサイドリンクリソースを割当るように構成され得る。無線通信装置は、該当セルのＲＡＮプロファイル情報（例えば、ＢＷＰ構成および対応するＢＷＰインデックス）を格納するように構成された内蔵メモリをそれぞれ含むことができる。
【００５０】
ＲＡＮプロファイルインデキシング動作は、ＵＥのサービス要件および能力、および／またはセルのネットワークリソースおよびシステム能力に応じて、セルベース（セル固有のＲＡＮプロファイル）またはユーザベース（ユーザ固有のＲＡＮプロファイル）のいずれでもよいことに留意されたい。言い換えれば、ＲＡＮプロファイル（例えば、ＢＷＰ構成）は、全セルダイナミクスに基づいて実行されるか、またはＵＥの通信能力に適応するように実行される。次に、無線通信システムにおけるＲＡＮプロファイルインデキシングをシグナリングする方法に関する様々な実施形態について説明する。
【００５１】
セル固有のＲＡＮプロファイルシナリオでは、ＲＡＮプロファイルインデックスシングおよびＰＨＹ構成マッピングは、特定のセルの無線カバレッジ内のすべてのサービングＵＥに共通であり得る。しかし、異なるセルは、それぞれのセルカバレージ内に、独自のＲＡＮプロファイルインデキシングメカニズムおよびＰＨＹ構成マッピング（対応するＢＷＰへの）を有することができる。例えば、異なるセルは、それぞれのセルのカバレージ内で異なるＲＡＮプロファイルインデックスを有することができる（例えば、セル１のＢＷＰ構成＃１のＰＨＹ構成（ＢＷＰインデックス＃１）は、セル２のＢＷＰ構成＃２のＰＨＹ構成（ＢＷＰインデックス＃１）とは異なる）。一実施形態では、セルは、ｇＮＢを含むことができる。別の実施形態では、セルは、Remote Radio Head（ＲＲＨ）を含むことができる。別の実施形態では、セルは、コンポーネントキャリア（ＣＣ）を含むことができる。さらに別の実施形態では、セルは、基地局（ＢＳ）を含むことができる。
【００５２】
図４は、本出願の例示的な実施形態による、セル固有のＲＡＮプロファイル動作を示す。例示的な無線通信システム４００は、無線接続ネットワーク（ＲＡＮ）及びコアネットワーク（ＣＮ）を含む。ＲＡＮは、セル４１０ａおよびセル４１０ｂを含む。各セル（例えば、セル４１０ａ／４１０ｂ）は、地理的エリアをカバーする。セル４１０ａおよび４１０ｂの無線カバレッジは、図４に示すように重複した地理的エリアを有することができ、セル４１０ａおよび４１０ｂは、基地局（例えば、図４には明示的に示されていない物理的基地局）に通信可能にリンクされる。セル４１０ａおよび４１０ｂの動作は、基地局によって調整され得る。無線通信システム４００は、セル４１０ａの無線カバレージ内に現在位置しているＵＥ４１３ａおよび４１３ｂをさらに含む。
【００５３】
無線通信装置４１１ａは、対応するセル領域への無線収束を提供するために、セル４１０ａ内に配備され得る。無線通信装置４１１ａは、基地局と通信し、ＵＥ４１３ａおよび４１３ｂにサービスを提供する。無線通信装置４１１ｂは、対応するセル領域への無線収束を提供するために、セル４１０ｂ内に配備され得る。無線通信装置４１１ｂは基地局と通信し、そのセルカバレージ内のＵＥにサービスを提供する。
【００５４】
図４に示されるように、ＵＥ４１３ｂは、セル４１０ａからセル４１０ｂに向かって移動している。セル４１０ａは、ＢＷＰ構成１〜９の物理構成１〜９をそれぞれ示すための、インデックス１〜９（例えば、ＢＷＰインデックス１〜９）を採用する。セル４１０ｂは、ＢＷＰ構成１’〜９’の物理構成１’〜９’をそれぞれ示すための、インデックス１’〜９’（例えば、ＢＷＰインデックス１’〜９’）を採用する。本実施形態では、セル４１０ａによって採用されるインデックス１〜９は、セル４１０ｂによって採用されるインデックス１’〜９’とはそれぞれ異なる。したがって、ＵＥ４１３ｂがセル４１０ａからセル４１０ｂに向かって移動する間に、ＲＡＮプロファイルインデキシング取得処理が必要とされ得る。ＲＡＮプロファイルインデックス取得処理の間、セル４１０ａは送信元セルであり、セル４１０ｂは目標セルである。
【００５５】
セルのＲＡＮプロファイルインデックスシングは、ダウンリンク制御メッセージ（例えば、ＲＲＣ信号、RRCConnectionReconfiguration）によって再構成され得る。いくつかの実施形態では、ＲＡＮプロファイルインデックスシングは、半静的に再構成され得る。いくつかの実施形態では、ＲＡＮプロファイルインデックシングは、動的に再構成され得る。さらに、半静的再構成に関して、いくつかの実施形態では、セルのタイマは、セルがある期間にわたって、ＲＡＮプロファイルインデックシングを再構成することを妨げる。ＲＡＮプロファイルインデキシングがＵＥによって取得された後、セルのタイマが始動し、ＵＥは、セルのタイマが満了するまでＲＡＮプロファイルインデキシングをトレースする必要がない。次いで、セルは、別の信号によってＵＥへのタイマ値を再構成することができる。いくつかの実施形態では、セルは、次いで、ＲＡＮプロファイルインデックスシングを用いてタイマ値をＵＥに再構成し得る。さらに、セルが異なるＰＬＭＮに対して並置される場合、セルは、各ＰＬＭＮに対してそれぞれのＲＡＮプロファイルインデックスを有することができる。
【００５６】
いくつかの実施形態では、ＲＡＮプロファイルインデックシングの指示は、専用ＲＲＣメッセージを介して送信され得る。いくつかの実施形態では、ＲＡＮプロファイルインデックシングの指示は、周期的ＳＩ（System Information）を介して送信され得る。いくつかの実施形態では、ＲＡＮプロファイルインデックシングの指示は、オンデマンドＳＩを介して送信され得る。
【００５７】
さらに、コアネットワークは、ＲＡＮプロファイルインデックシングに対してその推奨を提供することもできる。いくつかの実施形態では、エンドツーエンド遅延要求を満たすために、異なるセルは、それぞれのセルのコアネットワークへのバックホール能力に基づいて、異なるＰＨＹ構成を必要とし得る。いくつかの実施形態では、複数のセルは、RANプロファイルインデックシング（例えば、関連付け構成を記述するためのデフォルトおよび共通インデックステーブル）を有する。したがって、セルは、ＲＡＮプロファイルインデックスを提供する必要がない。したがって、ＲＡＮプロファイルインデキシングは、セルカバレッジ内のすべてのサービングＵＥに対して構成される。
【００５８】
セル固有のＲＡＮプロファイル実施形態とは異なり、ユーザ固有のＲＡＮプロファイル実施形態では、各ＵＥは、セルカバレッジ内で、それ自体の専用のＲＡＮプロファイルインデックシングおよびＰＨＹ構成マッピング情報を有することができる。１つのセルカバレッジ内のＵＥは、同じＲＡＮプロファイルインデックス設定を有するか、または異なるＲＡＮプロファイルインデックス設定を有することができる。
【００５９】
図５は、本出願の例示的な実施形態による、ユーザ固有のＲＡＮプロファイルインデックシング動作を示す。例示的な無線通信システム５００は、無線接続ネットワーク（ＲＡＮ）及びコアネットワーク（ＣＮ）を含む。ＲＡＮは、セル５１０ａおよびセル５１０ｂを含む。各セル（例えば、セル５１０ａまたはセル５１０ｂ）は、地理的エリアをカバーし、セル５１０ｂおよびセル５１０ｂの無線カバレッジは、図５に示すように重複する地理的エリアを有することができる。セルは、基地局（例えば、図５には明示的に示されていない物理的基地局）に通信可能にリンクされる。セル５１０ａおよび５１０ｂの動作は、基地局によって調整される。ＵＥ５１３ａおよび５１３ｂは、現在、セル５１０ａの無線カバレージ内に位置し、セル５１０ａによってサービスされる。ＵＥ５１３ｂは、ハンドオーバ処理がＵＥ５１３ｂに実施され得るように、セル５１０ｂに向かって移動している。ハンドオーバ手順中、セル５１０ａは送信元セルであり、セル５１０ｂは目標セルである。
【００６０】
図５において、無線通信装置５１１ａはセル５１０ａ内に配備され、対応するセル領域に無線を収束させる。無線通信装置５１１ａは、基地局と通信し、ＵＥ５１３ａおよび５１３ｂにサービスを提供する。無線通信装置５１１ｂもまた、対応するセル領域に無線を収束させるためにセル５１０ｂに配置されてもよい。無線通信装置５１１ｂは基地局と通信し、そのセルカバレージ内のＵＥにサービスを提供する。
【００６１】
本実施形態におけるＵＥ５１３ａおよびＵＥ５１３ｂは、異なる機能のために異なるＰＨＹ構成をサポートし、したがって、異なるＲＡＮプロファイルを有する（したがって、異なるＰＨＹ構成を有する。それぞれのＰＨＹ構成は、特有のＢＷＰ構成に対応する）。ＵＥ５１３ａおよびＵＥ５１３ｂは、インデックス（例えば、ＢＷＰインデックス）およびＰＨＹ構成（例えば、ＢＷＰ構成）のマッピングの異なるセットのを有することができる。具体的には、ＵＥ５１３ａは、ＰＨＹ構成１〜９（例えば、ＢＷＰ構成１〜９に対応）にそれぞれ対応するインデックス１〜９（例えば、ＢＷＰインデックス１〜９）を採用してもよい。ＵＥ５１３ｂは、ＰＨＹ構成１’〜５’（例えば、ＢＷＰ構成１’〜５’に対応）にそれぞれ対応するインデックス1’〜５’（例えば、ＢＷＰインデックス１’〜５’）を採用することができる。
【００６２】
セル５１０ａおよび５１０ｂは、ＵＥ５１３ａおよび５１３ｂの個々の通信能力、サブスクリプションの種類、サービス要件、およびＱｏＳ要件に基づいて、ＲＡＮプロファイルインデックス動作を実行してもよい。
【００６３】
一実施態様では、無線通信システム５００内のＣＮは、フロントホールおよびバックホール能力などのＣＮ／ＲＡＮ動作基準に基づいて、セル５１０ａおよび５１０ｂに対するＲＡＮプロファイルインデックシングおよびＵＥのＲＡＮプロファイルインデックシングに関連するＰＨＹ構成の設定を推奨してもよい。異なるセルは、エンドツーエンド遅延要件を満たすために異なるＰＨＹ構成を必要とする場合がある。一実施態様では、CNは、ＵＥとセルとの間のフロントホール能力および／または無線通信システム５００内のセル間のバックホール能力などのネットワーク動作基準に基づいてRANプロファイルインデックスを構成するための１つまたは複数のネットワーク要素を備えてもよい。
【００６４】
いくつかの実施形態では、ＵＥのそれぞれは、異なるRＡＮプロファイルインデックス量を有してもよい。さらに、それぞれのセルのバックホール能力に応じてＵＥのエンドツーエンド遅延要件をそれぞれ満たすために、異なるセルが（例えば、対応するＢＷＰ構成の）異なるＰＨＹ構成を必要とする場合があるので、コアネットワークは、ＲＡＮプロファイルインデックシングに対する推奨を提供してもよい。いくつかの実施形態では、それぞれのセルのフロントホール能力に応じてＵＥのエンドツーエンド遅延要件をそれぞれ満たすために、異なるセルが異なるＰＨＹ構成（たとえば、対応するＢＷＰ構成の）を必要とする場合があるので、コアネットワークは、ＲＡＮプロファイルインデックシングに向けた推奨を提供してもよい。さらに、いくつかの実施形態では、セルは、ＲＡＮプロファイルインデックスを隣接セルと交換してもよい。例えば、ハンドオーバの準備において、セルは、Ｘ２インターフェースまたはＳ１インターフェースを介して、隣接セルとＲＡＮプロファイルインデキシングを交換してもよい。
【００６５】
さらに、セルがいかなるＲＡＮプロファイルインデックスもＵＥに割当ない場合（例えば、ＲＲＣコネクション確立フェーズ中に割当られたＲＡＮプロファイルインデックスでＵＥにシグナリングしなかった場合）、ＵＥは、送信／受信動作中にリソースブロック（ＲＢ）処理のためにデフォルトＰＨＹ構成（例えば、デフォルトＢＷＰ構成）を使用してもよい。ある実施形態では、既定のＰＨＹ構成は、技術仕様において予め定義されてもよい。いくつかの実施形態では、セルがＲＡＮプロファイルインデックスを割当るとき、セルは、ＲＲＣ状態に応答してＲＡＮプロファイルインデックスをさらに示してもよい。セルが、異なるＲＲＣ状態に対するＲＡＮプロファイルインデックスを示さない場合、セルは、すべてのＲＲＣ状態に対するＲＡＮプロファイルインデックスを提供してもよい。いくつかの実施形態では、セルが、異なるＲＲＣ状態についてのＲＡＮプロファイルインデックスを示さない場合、セルは、現在のＲＲＣ状態についてのＲＡＮプロファイルインデックスを提供してもよい。さらに、前記ＲＲＣ状態は、ＲＲＣ接続状態、ＲＲＣ非アクティブ状態、光接続ＲＲＣ接続状態、光接続ＲＲＣアイドル状態、およびＲＲＣアイドル状態を含む。図５に示すように、いくつかの実施形態では、ＵＥ５１３ｂがセル５１０ａからセル５１０ｂに移動する場合、セル５１０ｂがセル５１０ａによって提供されるＵＥ５１３ｂのＲＡＮプロファイルインデックシングをサポートし得るので、ＵＥ５１３ｂおよびセル５１０ｂのＲＡＮプロファイルインデックシング取得処理は必要とされ得ない。
【００６６】
さらに、いくつかの実施形態では、ＵＥおよびセルのＲＡＮプロファイルインデックシングは、実行中のアプリケーションおよびセル状態に応答して構成されてもよい。いくつかの実施形態では、ＵＥが別のＰＬＭＮにローミングするとき、ＵＥおよびセルのＲＡＮプロファイルインデックシングは、ＲＡＮによって再割当されてもよい。いくつかの実施形態では、ＵＥが別のＰＬＭＮにローミングするとき、ＵＥおよびセルのＲＡＮプロファイルインデックシングは、ＣＮによって再割当されてもよい。いくつかの他の実施形態では、ＵＥがＲＲＣ状態遷移を行う場合、ＵＥおよびセルのＲＡＮプロファイルインデックシングを構成することができる。したがって、ＵＥおよびセルのＲＡＮプロファイルインデックシングは、セルのカバレッジ内で半静的に構成されてもよい。いくつかの他の実施形態では、ＵＥおよびセルのＲＡＮプロファイルインデックシングは、セルのカバレッジ内で動的に構成されてもよい。
【００６７】
さらに、ＲＡＮプロファイルインデキシングの指示は、ＲＲＣメッセージを介して送信されてもよい。いくつかの実施形態では、ＲＡＮプロファイルインデックシングの指示は、ＭＡＣ制御要素(CE:MAC Control Element)を介して送信されてもよい。
【００６８】
図６は、本出願の例示的な実施形態による、インデックスシグナリングのためのＲＡＮプロファイルインデックシングの形式を示す図である。一実施形態では、ＲＡＮプロファイルインデックス情報は、情報要素（ＩＥ）の形態をとることができる。図６は、本出願の例示的な実施形態による、情報要素の形態における例示的なインデックス形式を示す。
【００６９】
図６に示されるように、情報要素（ＩＥ）の形態のＲＡＮプロファイルインデックス形式は、ＢＷＰインデックス０〜ｋを含み、ｋは整数である。それぞれのＢＷＰインデックスは、ＲＡＮパラメータのセットを含む対応するＲＡＮパラメータＩＥに関連付けられる。各ＲＡＮパラメータＩＥは、ＰＨＹ構成フィールドのセットを含んでもよい。各々のＰＨＹ構成は、１つのＢＷＰ構成に対応し、ＢＷＰ構成は、サブキャリアスペーシング、多重化方式、チャネルコーディング方式、伝送時間間隔（ＴＴＩ）、サイクリックプレフィックス(cyclic prefix)及び変調スキームを含むが、これらに限定されず、フィールドアドレスは、リンクされている採用された物理層パラメータ及び割当られたＢＷＰインデックスに関連付けられてもよい。一実施態様では、上記ＩＥは、それぞれのＢＷＰ構成が関連付けられるＲＲＣ状態をさらに含んでもよい。ＢＷＰインデックスフィールド内の各インデックスは、ＩＥ内のフィールドのセットに関連付けられてもよい。
【００７０】
例えば、インデックス０は、サブキャリアスペーシング♯１、マルチプレックス♯１、チャネルコーディングスキーム♯２、ＴＴＩ♯１、ＣＰ♯１、および変調スキーム♯１に対応してもよい。インデックス１は、サブキャリアスペーシング♯１、マルチプレックス♯１、チャネルコーディングスキーム♯１、ＴＴＩ♯１、ＣＰ♯１、および変調スキーム♯１に対応してもよい。インデックスｋは、サブキャリアスペーシング♯１、マルチプレックス♯３、チャネルコーディングスキーム♯１、ＴＴＩ♯２、ＣＰ♯１、および変調スキーム♯４に対応してもよい。
【００７１】
IEに、より多くの送信関連パラメータをカバーさせることが有利であり得る。したがって、IEは、図６に示されるリストされたフィールド／要素によって制限されず、さらに、セルは、チャンネル状態、ネットワーク方式能力、および端末の能力からの判断に基づいて、IEにフィールドを任意に追加することができる。IEに現れないフィールドについては、UEは、デフォルトパラメータのセットを適用する。
【００７２】
いくつかの実施形態では、ＩＥは、方向フィールド（例えば、ＤＬ、ＵＬ、ＳＬなど）を搬送してもよい。いくつかの実施形態では、ＩＥは、関連するインデックスに対して採用されたパラメータのそれぞれのフィールドアドレスのフィールドを搬送してもよい。ＲＡＮプロファイルインデキシングは、フレーム構成（例えば、ミニスロット構成をさらに含む。いくつかの実施形態では、セルのＩＥは、セルの決定に応答してフィールドを搬送してもよい。ＩＥに明示的に現れないフィールドについては、ＵＥは、それに応じてデフォルトパラメータを適用してもよい。したがって、デフォルトパラメータは、ハードウエアモジュールに格納されたデフォルトパラメータ、またはＲＡＮもしくはＣＮまたは技術仕様によって提供されるデフォルトＲＡＮプロファイルインデックスを表してもよい。
【００７３】
他の利点の中でも、情報要素を使用して、シグナリング処理用のＲＡＮプロファイルインデックスを伝達することにより、セルは、ＰＨＹ構成を柔軟に構築し、ＰＨＹ構成を、チャンネル状態、サービス要件、サービス品質（ＱｏＳ）要件などの基準に基づいて、それぞれの情報要素にに対してマッピングすることができる。
【００７４】
図７は、本出願の例示的な実施形態による、ビットマップインデキシングフォーマットの図である。図７において、所定のビットマップ７１０は、ＲＡＮプロファイルインデックシングをシグナリングするセルによって使用されてもよい。ビットマップ７１０は、固定長および制限された数のコンポーネントを有する。上記コンポーネントは、サブキャリアスペーシング７２１、チャネルコーディングモード７２３、ＴＴＩ値７２５、およびＣＰ長値７２７を含むが、これらに限定されない。ビットは、割当られ、例えば、スペーシング値、チャネルコーディングモード、ＴＴＩ値、ＣＰ長値、多重化モード、および／またはフレームタイプモードなどのＰＨＹ構成設定を表してもよい。上記セルは、特定のビットを操作することによって、特定のＰＨＹ構成設定を構成してもよい。上記ＵＥは、後に、特定のビットマップを、対応するＢＷＰ構成の専用ＰＨＹ構成に変換することができる。
【００７５】
セルは、全てのＲＡＮプロファイルインデックス形式のペイロード長を指定するネットワーク要素を含み、関連するインデックス毎にビットマップを追加してもよい。ＲＡＮプロファイルインデクシングのビットマップ形式は、セル固有またはユーザ固有のＲＡＮプロファイルインデキシングにかかわらず、無線通信システム内のすべてのセルおよびＵＥに有効である。
【００７６】
図８Ａは、本出願の例示的な実施形態による、DCIを使用するＢＷＰスイッチング手順を示す図である。図８Ａに示されるように、コンポーネントキャリア８００Ａは、複数の物理リソースブロック８７０Ａを含む。セルは、デフォルトＢＷＰ８８０Ａに基づいて、そのカバレッジエリア内の１つまたは複数のＵＥにパケットを送信（例えば、ブロードキャスト（broadcast）送信）してもよい。一実施態様では、セルは、デフォルトＢＷＰ８８０Ａにおいて、ＤＣＩメッセージ＃１（ＤＣＩ＃１）をＵＥに送信し、ＤＣＩ＃１は、構成されたＢＷＰ８９０Ａに対応する構成されたＢＷＰインデックスと、構成されたＢＷＰ８９０Ａに切り替えるためのスイッチング／アクティベーション指示とを含む。
【００７７】
ＵＥは、デフォルトＢＷＰ８８０ＡにおいてＤＣＩ＃１を受信すると、ＤＣＩ＃１を復号してＢＷＰインデックス及びスイッチング／アクティベーション指示を読み出す。ＵＥは、図８Ａに示されるように、復号されたＢＷＰインデックスに基づいて、構成されたＢＷＰ８９０Ａに切り替えることができる。
【００７８】
一実施形態では、ＤＣＩ＃２は、ＣＯＲＥＳＥＴでもよい。ＵＥは、ＣＯＲＥＳＥＴを受信して、ＣＯＲＥＳＥＴ内のさらなる制御情報（ＰＤＣＣＨ）を受信する。ＣＯＲＥＳＥＴ内のＰＤＣＣＨは他のＲＢを示してもよく、他のＲＢはＵＥがＲＡＮと通信するためのデータ又は他の制御情報を含んでもよい。いくつかの実施形態では、ＣＯＲＥＳＥＴ構成は、（ＲＲＣ信号を介して）ＢＷＰ構成で事前に構成される。いくつかの実施形態では、ＣＯＲＥＳＥＴ構成は、システム情報（たとえば、残りのミニマムシステム情報）によって事前に構成される。ＣＯＲＥＳＥＴ構成は、ＲＢの位置及びその周期性を示すために以下の情報を含んでもよい。（１）第1のシンボルインデックス。CORESET-start-symb; （２）いくつかのシンボルにおけるＣＯＲＥＳＥＴの連続する持続時間；（３）ＣＯＲＥＳＥＴ持続時間；（４）周波数領域におけるリソースブロックのセット。CORESET-freq-dom. 構成されたＢＷＰ８９０ＡがＤＣＩ＃１によってアクティベートされるとき、ＵＥは、構成されたＢＷＰ８９０ＡのＣＯＲＥＳＥＴをどのように受信するかを知ってもよい。
【００７９】
図８Ａに示される実施形態において、デフォルトＢＷＰ８８０Ａおよび構成されたＢＷＰ８９０Ａは、時間領域において重複する部分を有さないことに留意されたい。すなわち、コンポーネントキャリア８００Ａでは、任意の所与の時間に１つのアクティブＢＷＰのみが存在する。ＵＥが、構成されたＢＷＰ８９０Ａに切り替える時またはそれよい前に、デフォルトＢＷＰ８８０Ａがディアクティベートされる。
【００８０】
図８Ｂは、本出願の例示的な実施形態による、ＤＣＩを使用するＢＷＰアクティベート手順を示す図である。図８Ｂに示されるように、コンポーネントキャリア８００Ｂは、複数の物理リソースブロック８７０Ｂを含む。セルは、デフォルトＢＷＰ８８０Ｂに基づいて、そのカバレッジエリア内の１つまたは複数のＵＥにパケットを（例えば、ブロードキャスト（broadcast））送信してもよい。１つの実施形態では、セルは、デフォルトＢＷＰ８８０Ｂにおいて、ＤＣＩメッセージ＃１（ＤＣＩ＃１）をＵＥに送信してもよく、ＤＣＩ＃１は、構成されたＢＷＰ８９０Ｂに対応するＢＷＰインデックスと、構成されたＢＷＰ８９０ＢをアクティベートするためのＢＷＰアクティベーション指示とを含む。ＵＥは、デフォルトＢＷＰ８８０ＢでＤＣＩ＃１を受信すると、ＤＣＩ＃１を復号して、ＢＷＰインデックスおよびアクティベーション指示を読み出す。ＵＥは、構成されたＢＷＰ８９０Ｂをアクティベートしてもよい。次いで、ＵＥは、構成されたＢＷＰ８９０ＢのＰＨＹ構成に基づいて、パケットを連続的に送信／受信してもよい。
【００８１】
図８Ｂに示される実施形態において、デフォルトＢＷＰ８８０Ｂおよび構成されたＢＷＰ８９０Ｂは、時間領域において同時にアクティブであり得ることに留意されたい。すなわち、ＵＥが、構成されたＢＷＰ８９０Ｂをアクティベートした後、デフォルトＢＷＰ８８０Ｂは、図８Ｂに示されるように、コンポーネントキャリア８００Ｂ内の構成されたＢＷＰ８９０Ｂと同時にアクティブのままであってもよい。
【００８２】
図９Ａは、本出願の例示的な実施形態による、キャリアアグリゲーション(CA:carrier aggregation)の下でのＲＡＮプロファイルインデックス提供の方法を示す図である。図９Ａに示されるように、ＣＡが構成／アクティベートされるとき、プライマリセル（ＰＣｅｌｌ）９０４および少なくとも1つのセカンダリセル（ＳＣｅｌｌ）９０６は、周波数領域において、それぞれＣＣ＃１およびＣＣ＃２上で動作する。ＣＡの仕様によれば、ＵＥ９０２の制御信号はＰＣｅｌｌ９０４によって提供されてもよい。いくつかの実施形態では、ＳＣｅｌｌ９０６の無線リソース割当は、ＰＣｅｌｌ９０４のＰＤＣＣＨによって構成されてもよい。いくつかの実施形態では、ＳＣｅｌｌ９０６の無線リソース割当は、ＳＣｅｌｌ９０６のＰＤＣＣＨによって構成されてもよい。
【００８３】
図９Ａに示されるように、本実施形態では、ＰＣｅｌｌ９０４および少なくとも１つのＳＣｅｌｌ９０６は、それぞれの異なるＲＡＮプロファイルインデックス（例えば、ＢＷＰインデックス）およびそれぞれのＰＨＹ構成（例えば、ＢＷＰ構成）のマッピング（ＲＡＮプロファイルインデックス）を有してもよい。本実施形態では、動作９１０（動作９１２）において、ＰＣｅｌｌ９０４は、ＵＥ９０２に（例えば、システム情報によって）ＰＣｅｌｌ９０４のＲＡＮプロファイルインデックスを提供する。ＰＣｅｌｌ９０４は、動作９１４において、実施例として、ＲＲＣ信号によって、ＵＥ９０２に対してＳＣｅｌｌ９０６のＲＡＮプロファイルインデックスシングを提供する。したがって、ＲＲＣシグナリングにおいて、ＰＣｅｌｌ９０４は、ＳＣｅｌｌ９０６のＳＣｅｌｌ  ＩＤおよびＳＣｅｌｌ９０６の対応するＲＡＮプロファイルインデックスを提供してもよい。ＳＣｅｌｌ９０６の各々は、個々のＲＡＮプロファイルインデックシングによって示されてもよい。
【００８４】
いくつかの実施形態では、ＰＣｅｌｌ９０４は、ＳＣｅｌｌ９０６の構成とともに、ＲＡＮプロファイルインデックシングのためのＲＲＣ信号を提供してもよい。ＳＣｅｌｌ９０６のＲＡＮプロファイルインデクシングは、ＳＣｅｌｌ９０６がディアクティベートされ、次いでＰＣｅｌｌ９０４によって再びアクティベートされても、依然として有効である。したがって、ＰＣｅｌｌ９０４は、ＳＣｅｌｌ９０６がＰＣｅｌｌ９０４によって再びアクティベートされるときに、ＳＣｅｌｌ９０６のＲＡＮプロファイルインデックシングのためにＲＲＣ信号を再提供する必要がない。
【００８５】
本実施形態では、ＰＣｅｌｌ９０４は、ＳＣｅｌｌ９０６のアクティベーション／ディアクティベーションとともに、ＲＲＣシグナリングを提供してもよい。本実施形態では、指示されたＲＡＮプロファイルインデックシングは、ＳＣｅｌｌ９０６がディアクティベートされるときに無効であってもよい。本実施形態では、ＳＣｅｌｌ９０６の有効なＲＡＮプロファイルインデキシングがＰＣｅｌｌ９０４によって示されない場合、ＰＣｅｌｌ９０４のＲＡＮプロファイルインデキシングをＳＣｅｌｌ９０６に適用してもよい。
【００８６】
図９Ａに示されるように、動作９１０でＲＡＮプロファイルインデックスメッセージを提供した後、動作９２２（動作９２０）のＰＣｅｌｌ９０４は、ＰＤＣＣＨ（ＰＤＣＣＨ＃１）を介してコンポーネントキャリア（ＣＣ＃1）内のDCIメッセージ（ＤＣＩ＃１）をＵＥ９０２に送信する。ＤＣＩメッセージは、ＰＣｅｌｌ９０４のリソース割当て（例えば、ＲＢ１）と、ＰＣｅｌｌ９０４のＰＨＹ構成（例えば、ＢＷＰ構成）（および対応するＢＷＰ構成＃２）の複数の組のうちの１つに対応するＢＷＰインデックス（例えば、ＢＷＰインデックス＃２）とを含む。
【００８７】
動作９２４（動作９２０）において、ＰＣｅｌｌ９０４は、ＢＷＰ構成＃２に基づいて、ＰＤＣＣＨ（ＣＣ＃１のＰＤＣＣＨ＃２を介して）を介して、コンポーネントキャリア中のＲＢ１上のＵＥ９０２に、データ／制御シグナリングを送信する。動作９３０において、ＵＥ９０２は、ＢＷＰ構成＃２のＰＨＹ構成（例えば、ＢＷＰ＃２）に基づいて、ＲＢ１を復号する。一実施形態では、ＲＢ１は、ＢＷＰ＃２上のＣＯＲＥＳＥＴ内に配置されてもよい。ＰＣｅｌｌ９０４は、動作９２２において、ＲＢ１の位置を明示的に示さなくてもよい。代わりに、ＵＥ９０２は、動作９３０において、ＢＷＰインデックス＃２に対応するＢＷＰ構成のＣＯＲＥＳＥＴ構成に基づいてブラインドデコーディングを実施してもよく、したがって、ＲＢ１のリソース割当は、動作９２２において提供されなくてもよい。
【００８８】
いくつかの実施形態では、動作９４０（動作９４２）において、ＳＣｅｌｌ９０６のリソース割当のために、ＰＣｅｌｌ９０４は、ＰＤＣＣＨ（ＰＤＣＣＨ＃３）を介してコンポーネントキャリア（ＣＣ＃１）内のＤＣＩメッセージ（ＤＣＩ＃）をＵＥ９０２に送信する。ここで、ＤＣＩメッセージは、ＳＣｅｌｌ９０６のリソース割当（ＣＣ＃２のＲＢ２）と、ＳＣｅｌｌ９０６の複数セットの（対応するＢＷＰ構成を有する）ＰＨＹ構成の１つ（例えば、ＢＷＰ構成＃４）に対応するＢＷＰインデックスを含む。動作９４４（動作９４０）において、ＳＣｅｌｌ９０６は、ＢＷＰ構成＃４に基づいて、ＰＤＣＣＨ（例えば、ＣＣ＃２のＰＤＣＣＨ＃４）を介して、コンポーネントキャリアのＲＢ２上でデータ／制御シグナリングをＵＥ９０２に送信する。動作９４６において、ＵＥ９０２は、ＳＣｅｌｌ９０６のＢＷＰ構成＃４に対応するＢＷＰインデックス＃４に基づいてRB2を復号する。一実施形態では、ＲＢ２は、ＢＷＰ＃４上のＣＯＲＥＳＥＴ内に配置されてもよい。ＳＣｅｌｌ９０６は、動作９４２において、ＲＢ２の位置を明示的に示す必要はない。代わりに、ＵＥ９０２は、ＢＷＰインデックス＃４に対応するＢＷＰ構成のＣＯＲＥＳＥＴ構成に基づいて、動作９４６においてブラインドデコーディングを実施してもよく、したがって、ＲＢ２のリソース割当は、動作９４２において提供されなくてもよい。
【００８９】
図９Ｂは、本出願の例示的な実施形態のキャリアアグリゲーション（ＣＡ）の下でのＲＡＮプロファイルインデックス提供の方法を示す図である。図９Ｂにおいて、動作９１２、９１４、９２０、９２２、９２４、および９３０は、図９Ａの動作９１２、９１４、９２０、９２２、９２４、および９３０とそれぞれ実質的に同じであってもよい。
【００９０】
図９Ｂに示されるように、ＳＣｅｌｌ９０６のリソース割当に関して、動作９５２において、ＳＣｅｌｌ９０６は、ＰＤＣＣＨ（ＰＤＣＣＨ＃３）を介してコンポーネントキャリア（ＣＣ＃９５２）内のＤＣＩメッセージ（ＤＣＩ＃３）をＵＥ９０２に送信する。ＤＣＩメッセージは、ＳＣｅｌｌ９０６のリソース割当と、ＳＣｅｌｌ９０６の複数のセットのＰＨＹ構成（対応するＢＷＰ構成）のうちの１つに対応するリソースブロック割当情報（（例えば、ＣＣ＃２内のＲＢ３））に対応するＢＷＰインデックス（例えば、ＢＷＰインデックス＃３）とを含む。動作９５４において、ＳＣｅｌｌ９０６は、ＰＤＣＣＨ＃４を介してＣＣ＃２内のＲＢ３上でＵＥ９０２にデータ／制御シグナリングを送信する。動作９５６において、ＵＥ９０２は、ＳＣｅｌｌ９０６のＢＷＰ構成＃３（例えば、ＢＷＰ＃３）のＰＨＹ構成に対応するＢＷＰインデックス＃３に基づいて、ＳＣｅｌｌ９０６のＰＤＣＣＨ＃４上のＲＢ３を復号する。
【００９１】
いくつかの実施形態では、ロングタームエボリューション（ＬＴＥ）アーキテクチャにおいて、ｅＮＢは、キャリアアグリゲーションにおいてＵＥ９０２にデフォルトＲＡＮプロファイルインデックスを提供してもよい。異なるＣＣへのデフォルトＲＡＮプロファイルインデックシングは、独立して決定されてもよい。ｅＮＢは、ＵＥ９０２の能力に応答して、各セルの（デフォルト）ＲＡＮプロファイルインデクシングを決定してもよい。
【００９２】
本出願の実施形態によれば、ＤＣＩメッセージは、帯域幅部分インジケータフィールド（ＢＩＦ）を含んでもよい。以下の表１は、各ＢＩＦが異なるＢＷＰインデックス（例えば、ＲＡＮプロファイルインデックス）を表すことを示す。
【００９３】
【表１】
0006934588.tif 000002
図１０Ａは、本出願の例示的な実施形態による、ＢＩＦを有するＤＣＩ形式を示す図である。ＤＣＩを受信した後、ＵＥは、受信されたＢＩＦに基づいて、どのＢＷＰがアクティベート／ディアクティベートされるべきかを知ってもよい。例えば、ＵＥがＤＣＩの対応するＢＩＦを受け取ると、不活性なＢＷＰがアクティベートされる。また、ＵＥがＤＣＩにおいて対応するＢＩＦを受信する場合、アクティブなＢＷＰは、非アクティブにされてもよい。
【００９４】
図１０Ｂは、本出願の例示的な実施形態による、ＢＩＦおよびキャリアインジケータフィールド(CIF:Carrier Indicator Filed)を有するＤＣＩ形式を示す図である。図１０Ｂに示すＤＣＩ形式は、クロスキャリアＢＷＰアクティベート／ディアクティベートに適用してもよい。ＣＩＦは、ＵＥが、ＲＡＮが示そうとするセル（例えば、ＳＣｅｌｌ＃１）を認識するためのものである。本出願の実施形態におけるＣＩＦは、ＬＴＥプロトコルにおけるＣＩＦと実質的に同様であってもよい。したがって、例えば、ＣＩＦ（例えば、ＳＣｅｌｌ＃１を指す）およびＢＩＦ（例えば、ＢＩＦ＝０１）を有するＤＣＩを受信した後、ＵＥは、ＳＣｅｌｌ＃１のＢＷＰ構成＃１をアクティベート／ディアクティベートする必要があることを知ることができる。また、各々のセルは異なるＢＷＰ構成を有してもよいので、ＳＣｅｌｌ＃１のＢＷＰインデックス＃1のＢＷＰ構成は、（もしあれば）他のサービングセルにおけるＢＷＰインデックス＃1のＢＷＰ構成とは異なっていてもよいことに留意されたい。
【００９５】
図１１Ａは、本出願の例示的な実施形態による、複数のリソースブロック割当を伴う２レベルＤＣＩのフレーム構造の概略図である。図１１Ａに示されるように、セルによって提供されるサブフレーム１１００のフレーム構造は、ＰＤＣＣＨ１１１１、複数のミニスロット１１１３Ａ、１１１３Ｂ、および１１１３Ｃ、ならびにミニスロット１１１３Ａ、１１１３Ｂ、および１１１３Ｃ内に制御サーチ空間１１１５Ａ、１１１５Ｂ、および１１１５Ｃをそれぞれ含む。本実施形態では、ＰＤＣＣＨ１１１１は、サブフレーム１１００の先頭にあり、アクティブなＵＥ（図示せず）は、サブフレーム１１００内のＰＤＣＣＨ１１１１を監視するために肯定応答（acknowledge）される。
【００９６】
図１１Ａに示すように、本実施形態では、ＰＤＣＣＨ１１１１内のＤＣＩ＃０は、1つのＢＷＰ構成に対応する１つのＢＷＰインデックスを含む。次いで、ＢＷＰインデックスを成功裏に復号した後、ＢＷＰは、指示されたＢＷＰのＣＯＲＥＳＥＴ構成（例えば、ミニスロット１３１３Ａ、１１１３Ｂ、および１１１３Ｃ、ならびにそれぞれのミニスロットにおける制御サーチ空間１１１５Ａ、１１１５Ｂ、および１１１５Ｃの構成）も含む、対応するＰＨＹ構成を読み出してもよい。次いで、ＵＥは、ＣＯＲＥＳＥＴ構成に基づいて、ミニスロット内の制御サーチ空間をサーチして、ＲＢ＿Ａ、ＲＢ＿Ｂ及びＲＢ＿Ｃを見つけ出し、（例えば、ブラインドデコーディングを通じて）デコードすることに成功する。いくつかの実施形態では、ＤＣＩ＃０は、固有の無線ネットワーク一時識別子（ＲＮＴＩ）によってスクランブルされる。したがって、いくつかの実施形態では、ＵＥは、特有のＲＮＴＩに基づいて制御信号を復号してもよい。ＤＣＩ＃０の復号に成功した後、ＵＥは、ミニスロット１１１３Ａ、１１１３Ｂ、および１１１３Ｃの数と、ミニスロット１１１３Ａ、１１１３Ｂ、および１１１３Ｃのそれぞれに関するタイムスパン（例えば、時間領域におけるシンボルの数）とを含む、サブフレーム１１００の構造を読み出してもよい。さらに、ＵＥは、各ミニスロットの制御サーチ空間を知ってもよく、その結果、ＵＥは、各ミニスロット内のＲＢ＿Ａ、ＲＢ＿Ｂ、およびＲＢ＿Ｃを首尾よく見つけてもよい。いくつかの実施形態では、ＰＤＣＣＨ１１１１は、ミニスロット１１１３Ａ、１１１３Ｂ、および１１１３Ｃのそれぞれにおける制御チャネルのリソース割当を含む。
【００９７】
図１１Ｂは、本出願の例示的な実施形態による、複数のリソースブロック割当を伴う２レベルＤＣＩの方法を示す図である。図１１Ｂに示されるように、動作１１１０において、セル１１０４は、例えば、専用の制御シグナリング（例えば、ＲＲＣシグナリング）を用いて、そのセルカバレッジ内のＵＥ１１０２にＲＡＮプロファイルインデックスメッセージを（例えば、周期的または非周期的に）送信する。ＲＡＮプロファイルインデキシングメッセージは、複数のセットのＲＡＮパラメータに関する情報を少なくとも含み、各セットのＲＡＮパラメータは、特定のＢＷＰの設定（例えば、ＢＷＰ構成）に対応する。RANプロファイルインデキシングメッセージはまた、複数のＲＡＮパラメータのセットに対応する複数のＢＷＰインデックスを含む。複数のＲＡＮパラメータのセットの各々は、特定のＰＨＹ構成に対応する。ＰＨＹ構成物はそれぞれ、ＢＷＰの特定のＢＷＰ構成に対応するＢＷＰインデックスをマッピングすることができる。ＵＥ１１０２は、ＲＡＮプロファイルインデキシングメッセージを受信すると、ＢＷＰ構成（例えば、ＰＨＹ構成）を有するＲＡＮプロファイルインデキシング情報と、後続の送信／受信動作のための対応するＢＷＰインデックスとを保存する。セル１１０４は、ＮＲ通信ネットワークにおけるＮＲｅＮＢ／ｇＮＢ、またはＬＴＥ／ＬＴＥ−Ａ通信ネットワークにおけるｅＮＢであってもよいことに留意されたい。
【００９８】
動作１１２０において、セル１１０４は、ＰＤＣＣＨ（ＰＤＣＣＨ＃１）内のＤＣＩメッセージ（ＤＣＩ＃０）を使用して、ＵＥ１１０２に送信する。ＤＣＩメッセージは、ミニスロットの構成も含む、１つのＢＷＰ構成に対応するＢＷＰインデックス（例えば、ＢＷＰインデックス＃３）を含んでもよい。例えば、セル１１０４がダウンリンク伝送のためにＰＤＳＣＨのＢＷＰ構成＃３のＰＨＹ構成を適用すると決定した場合、セル１１０４は、ＢＷＰインデックス＃３を示す情報を含むＤＣＩメッセージを、ＰＤＣＣＨ＃１を通じて、ＵＥ１１０２に送信してもよい。
【００９９】
動作１１３０において、ＵＥ１１０２は、ミニスロットの構成を得るためのＤＣＩ＃０と、制御シグナリングのためのＰＨＹ構成とを復号する。
【０１００】
動作１１４０において、セル１１０４は、ミニスロット１１１３Ａ内の制御サーチ空間１１１５ＡにおけるＲＢ＿Ａを送信する。
【０１０１】
動作１１５０において、ＵＥ１１０２は、制御メッセージＲＢ＿Ａを取得し、ＤＣＩ＃Ｘを取得するためのＢＷＰインデックス＃３（ＢＷＰ＃３のＰＨＹ構成に対応するＢＷＰ構成＃３）に基づいて、制御メッセージＲＢ＿Ａを復号する。本実施形態では、ＤＣＩ＃Ｘは、ＲＢ＿Ｘのリソース割当を含む。また、ＲＢ＿Ｘは、ＢＷＰ構成＃３のＰＨＹ構成に基づいて符号化および多重化されてもよい。
【０１０２】
動作１１６２において、セル１１０４は、ミニスロット１１１３Ａにおいてダウンリンクデータを有するＲＢ＿ＸをＵＥ１１０２に送信する。動作１１６４において、セル１１０４は、ミニスロット１１１３Ｂ内の制御サーチ空間１１１５Ｂ内のＲＢ＿ＢをＵＥ１１０２に送信する。
【０１０３】
動作１１７０において、ＵＥ１１０２は、制御メッセージＲＢ＿Ｂを取得し、ＤＣＩ ＃Ｙを取得するためのＢＷＰインデックス＃３（ＢＷＰ構成＃３のＰＨＹ構成に対応する、ＢＷＰ＃３）に基づいて、制御メッセージＲＢ＿Ｂを復号する。本実施形態では、ＤＣＩ ＃Ｙは、ＲＢ＿Ｙのリソース割当を含む。ＲＢ＿Ｙは、ＢＷＰ構成＃３のＰＨＹ構成に基づいて符号化および多重化されてもよい。
【０１０４】
動作１１８２において、セル１１０４は、ミニスロット１１１３Ｂにおいてダウンリンクデータを有するＲＢ＿ＹをＵＥ１１０２に送信する。動作１１８４において、セル１１０４は、ミニスロット１１１３Ｃ内の制御サーチスペース１１１５Ｃ内でＲＢ＿ＣをＵＥ１１０２に送信する。
【０１０５】
動作１１９０において、ＵＥ１１０２は、制御メッセージＲＢ＿Ｃを取得し、ＤＣＩ＃Ｚを取得するためのＢＷＰインデックス＃３（ＢＷＰ構成＃３のＰＨＹ構成に対応する、ＢＷＰ＃３）に基づいて、制御メッセージＲＢ＿Ｃを復号する。本実施形態では、ＤＣＩ＃Ｚは、ＲＢ＿Ｚのリソース割当を含む。また、ＲＢ＿Ｚは、ＢＷＰ構成＃３のＰＨＹ構成に基づいて符号化および多重化されてもよい。動作１１９２において、セル１１０４は、ミニスロット１１１３Ｃにおいてダウンリンクデータを有するＲＢ＿ＺをＵＥ１１０２に送信する。
【０１０６】
その結果、ＵＥ１１０２は、ＢＷＰ構成＃3のＰＨＹ構成に基づいて、対応するＲＢ＿Ｘ、ＲＢ＿Ｙ、ＲＢ＿Ｚをそれぞれ復号するために、指示されたＲＡＮプロファイルインデキシングに従うことができる。本実施形態では、ＲＢ＿Ｘ、ＲＢ＿Ｙ、ＲＢ＿Ｚは、セル１１０４がミニスロット１１１３Ａ、１１１３Ｂ、および１１１３ＣでそれぞれＵＥ１１０２に配信するデータを含む。
【０１０７】
コアセット構成の部分であるミニスロット構成は、ＰＨＹ構成で事前に設定されていることに留意されたい。したがって、ＵＥは、ＤＣＩ＃０においてセル１１０４によってＢＷＰインデックス＃３が配信された後に、ミニスロット構成を読み取ってもよい。ブロック1150、1170、および1190では、RB＿X、RB＿Y、およびRB＿Zは、BWPインデックス＃3によってアクティブにされる同じBWP内にあり、DCI #X、DCI #Y、およびDCI #Zのそれぞれは、ＲＡＮプロファイルインデックスを指定しないので、ＲＢ＿Ｘ、RB＿Y、およびＲＢ＿Ｚは、ＤＣＩ＃０でセル１１０４からＵＥ１１０２に送信されるＰＨＹ構成＃３に対応するＢＷＰインデックス＃３に基づいて復号されることに留意されたい。
【０１０８】
ＣＯＲＥＳＥＴ構成は、１つのＢＷＰ構成（１つのサブフレームにおける制御フィールド）において事前に構成されてもよいことに留意されたい。ＢＷＰがアクティベートされると、ＵＥは、ＣＯＲＥＳＥＴをどこで見つけるかを知ることができる（例えば、各ミニスロット内の制御フィールド）。したがって、ＵＥは、ＣＯＲＥＳＥＴ内のＲＢ＿Ａ、ＲＢ＿Ｂ、およびＲＢ＿Ｃを（たとえば、ブラインド復号を介して）見つけてもよい。次いで、ＵＥは、後続の受信において、ＲＢ＿Ｘ、ＲＢ＿Ｙ、およびＲＢ＿Ｚを受信することを知ってもよい。この方法は、ＤＬ、ＵＬ、およびＳＬに適用できることに留意されたい。
【０１０９】
アップリンク（ＵＬ）伝送では、ＵＬ無許可（GF）伝送（タイプ１）およびＵＬセミパーシステントスケジューリング（ＳＰＳ）伝送（タイプ２）の両方がＮＲでサポートされる。タイプ１−ＵＬＧＦ送信の場合、ｇＮＢは、専用シグナリング（例えば、ＲＲＣシグナリング）を介してＧＦリソースをＵＥに提供してもよい。ＧＦリソースは、ＵＥ間で共有されてもよいリソースブロックのグループとみなすことができる。さらに、ＧＦリソースは、周期的に現れてもよい。タイプ２−ＵＬＳＰＳ送信の場合、ｇＮＢは、ＲＲＣシグナリングを介してＵＥにＳＰＳリソースを提供してもよい。しかしながら、ＲＲＣシグナリングは、ＳＰＳリソースの周期性を構成してもよい、ｇＮＢは、リソースブロックの位置およびさらなる構成（例えば、変調および符号化方式など）を含む、ＤＣＩを介してＳＰＳリソースをアクティベートする必要があり得ることに留意されたい。
【０１１０】
タイプ１−ＵＬＧＦ送信の場合、ＵＥは、ＧＦリソースを構成するＲＲＣシグナリングを受信した後、ＧＦリソースを適用することができる。タイプ２−ＵＬＳＰＳ送信の場合、ＲＡＮはＤＣＩを介してのみリソース位置およびサイズを提供することができるので、ＵＥは、ＤＣＩを使用してＳＰＳリソースをアクティベート／ディアクティベートする必要がある。
【０１１１】
図１２は、本出願の例示的な実施形態による、ＢＷＰにおけるＳＰＳ／ＧＦ無線リソースを示す図である。図１２に示されるように、コンポーネントキャリア１２００Ａ内のＢＷＰ #１は、動的許可なしでＵＬパケットを送信するためのＵＳのための周期的ＵＬリソースであってもよいＳＰＳまたはＧＦＵＬリソースを含む。ＢＷＰスイッチング／BWPアクティベーションの導入に伴い、タイプ１およびタイプ２リソースに対するＢＷＰの影響について以下に説明する。
【０１１２】
一実施形態では、ＢＷＰは、1つまたは複数のタイプ１−ＧＦリソースを用いて構成されることができ、構成されたタイプ１−ＧＦリソースのすべては、基地局がＤＣＩを介して１つのＢＷＰをアクティベートするときに自動的にアクティベートされてもよい。さらに、構成されたタイプ１−ＧＦリソースのすべてが、ＢＷＰのディアクティベーションによってアクティベートされなくてもよい。また、ＵＥは、ＢＷＰがディアクティベーされるとき、ディアクティベーされたタイプ１のＧＦリソースの構成を保持してもよい。
【０１１３】
別の実施形態では、各セルは、1つまたは複数のタイプ２−ＳＰＳリソースを用いて構成されてもよい。タイプ２−ＳＰＳ構成ごとに、ＵＬグラントおよびリソースのＰＨＹ構成は、ＢＷＰアクティベーション／ディアクティベーションに伴って変化してもよい。したがって、ＵＥがＵＬパケットを伝送するためのＳＰＳのＢＷＰインデックスを異なったＢＷＰ構成に基づいて変更してもよい。
【０１１４】
図１３Ａは、本出願の例示的な実施形態による、ＳＰＳ（Semi−Persistent−Scheduling）リソースによるＲＡＮプロファイルインデックス提供の方法を示す図である。図１３Ｂは、本出願の例示的な実施形態による、ＤＬ ＳＰＳリソース受信を示す図である。
【０１１５】
図１３Ａおよび図１３Ｂに示されるように、動作１３１０において、セル１３０４は、例えば、専用制御メッセージ（例えば、ＲＲＣシグナリング）を使用して、そのセルカバレージ内のＵＥ１３０２にＲＡＮプロファイルインデックスメッセージを送信する。ＲＡＮプロファイルインデキシングメッセージは、複数のＲＡＮパラメータのセットを少なくとも含み、各ＲＡＮパラメータのセットは、特定のＢＷＰの設定（例えば、ＢＷＰ構成）に対応する。ＲＡＮプロファイルインデキシングメッセージはまた、複数のＲＡＮパラメータのセットに対応する複数のＢＷＰインデックスを含む。複数のＲＡＮパラメータの組の各々は、特定のＰＨＹ構成に対応する。ＰＨＹ構成物はそれぞれ、ＢＷＰの特定のおＢＷＰ構成に対応するＢＷＰインデックスにマッピングすることができる。ＵＥ１３０２は、ＲＡＮプロファイルインデキシングメッセージを受信すると、ＢＷＰ構成（例えば、ＰＨＹ構成）及び後続の送信／受信動作のための対応するＢＷＰインデックスを保存する。本実施形態では、セル１３０４は、ＮＲ通信ネットワークにおけるＮＲｅＮＢ／ＮＢまたはＬＴＥ／ＬＴＥ−Ａ通信ネットワークにおけるｅＮＢであってもよいことに留意されたい。
【０１１６】
動作１３２０において、セル１３０４は、ＤＣＩメッセージ（ＤＣＩ＃１）をＵＥ１３０２に送信し、ＤＣＩメッセージは、ミニスロットの構成と、特定のＢＷＰ構成（例えば、ＢＷＰ＃６）に対応する複数セットのＰＨＹ構成のうちの１つに対応するＢＷＰインデックス（例えば、ＢＷＰインデックス＃６）とを含んでもよい。例えば、セル１３０４が、ＤＬ送信のためにＰＤＳＣＨにＢＷＰ構成＃６のＰＨＹ構成を適用することを決定した場合、セル１３０４は、ＢＷＰインデックス＃６を示す情報を含むＤＣＩメッセージをＵＥ１３０２に送信してもよい。セル１３０４は、また、例えば、ＢＷＰ構成＃６内に、ＳＰＳリソースの周期（図１３Ｂの周期性＃６）を構成してもよい。
【０１１７】
動作１３３０において、セル１３０４は、ＤＣＩメッセージ（ＤＣＩ＃２）をＵＥ１３０２に送信し、ＤＣＩメッセージは、リソースブロック（例えば、ＳＰＳリソース＃６）の位置、およびＢＷＰ＃６におけるＳＰＳパケット受信をアクティベートするのに必要なＳＰＳリソースの他の構成（例えば、変調および符号化方式など）を含む。
【０１１８】
動作１３４０において、ＵＥ１３０２は、リソースブロック（例えば、ＲＢ＿Ａ、ＲＢ＿Ｂ等）を受信し、セル１３０４によって構成されたＢＷＰ構成＃６のＰＨＹ構成に対応するＢＷＰインデックス＃６を用いてリソースブロックを復号する。図１３Ｂに示されるように、ＤＩＣ＃３の受信前のＲＢ＿ＡおよびＲＢ＿Ｂならびにその後続の連続ＤＬパケット送信は、ＢＷＰ＃６の周期性に従って周期的に送信される。
【０１１９】
動作１３５２において、セル１３０４は、ＤＣＩメッセージ（ＤＣＩ＃３）をＵＥ１３０２に送信し、ＤＣＩメッセージは、特定のＢＷＰ構成（例えば、ＢＷＰ＃８）に対する複数セットのＰＨＹ構成のうちの別の1つに対応するＢＷＰインデックス（例えば、ＢＷＰインデックス＃８）を有する。ＤＣＩ＃３を復号化すると、ＵＥ１３０２は、ＤＣＩ＃３にＢＷＰインデックス＃８（したがって、ＢＷＰインデックス＃８）が示されたので、ＢＷＰ＃６からＢＷＰ＃８に切り替わる。
動作１３５４において、セル１３０４は、ＤＣＩメッセージ（ＤＣＩ＃４）をＵＥ１３０２に送信し、DCIメッセージは、リソースブロック（例えば、ＳＰＳリソース＃８）の位置、およびＢＷＰ＃８におけるＳＰＳパケット受信をアクティベートするのに必要なＳＰＳリソースの他の構成（例えば、変調および符号化方式など）を含む。
【０１２０】
いくつかの実施形態では、DCI＃3およびDCI＃4における情報は、ＵＥ１３０２がＢＷＰスイッチングの直後にＳＰＳリソースにアクセスすることができるように、1つのＤＣＩにマージしてもよい。他のいくつかの実施形態では、1つのＢＷＰが多重ＳＰＳ構成で構成されてもよい。このような条件では、各ＳＰＳ構成は、各ＢＷＰにおけるＳＰＳインデックスを用いて構成されてもよい。さらに、ＤＣＩ＃４において、セル１３０４は、ＤＣＩ＃４において少なくとも1つのＳＰＳインデックスを含むことができ、その結果、ＵＥ１３０２は、どのＳＰＳ構成がＤＣＩ＃４によってアクティベートされるかを知ることができる。
【０１２１】
動作１３６０において、ＵＥ１３０２は、リソースブロック（例えば、ＲＢ＿Ｘ、ＲＢ＿Ｙ等）を受信し、セル１３０４によって構成されたＢＷＰ構成＃８のＰＨＹ構成に対応するＢＷＰインデックス＃８を用いてリソースブロックを復号する。図１３Ｂに示されるように、ＤＩＣ＃５の受信以前のＲＢ＿Ｘ、ＲＢ＿Ｙ及びそれに続く継続的なＤＬパケット送信は、ＢＷＰ＃８におけるＳＰＳ構成の周期性に従って周期的に送信される。
【０１２２】
動作１３７０において、セル１３０４は、ＤＣＩめッセージ（ＤＣＩ＃５）をＵＥ１３０２に送信し、ＤＣＩメッセージは、ＢＷＰインデックス＃８を含む。ＤＣＩ＃５を復号すると、ＵＥ１３０２は、ＢＷＰ＃８におけるＳＰＳパケット受信をディアクティベートすることを知る。
【０１２３】
図１３Ａおよび１３Ｂは、ＵＥ側のＤＬＳＰＳリソース受信に適用されるが、同様のアプローチが、ＵＬおよびサイドリンクＳＰＳリソース送信に適用さしてもよいことに留意されたい。
【０１２４】
図１４Ａは、本出願の例示的な実施形態による、無許可(GF:grant free)リソース送信によるＲＡＮプロファイルインデックス提供の方法を示す図である。図１４Ｂは、本出願の実施形態による、ＵＬＧＦリソース送信を示す図である。
【０１２５】
図１４Ａおよび図１４Ｂに示されるように、動作１４１０において、セル１４０４は、一実施例として、専用の制御シグナリング（例えば、ＲＲＣシグナリング）を使用して、そのセルカバレージ内のＵＥ１４０２にＲＡＮプロファイルインデックスメッセージを送信する。ＲＡＮプロファイルインデックスメッセージは、複数のセットのＲＡＮパラメータを有するＲＡＮプロファイル設定に関する情報を少なくとも含み、ＲＡＮプロファイルインデックスメッセージに対応する複数のインデックスは、複数のセットのＲＡＮパラメータに関する情報を少なくとも含み、ＲＡＮパラメータの各セットは、特定のＢＷＰの設定（例えば、ＢＷＰ構成）に対応する。ＲＡＮプロファイルインデキシングメッセージはまた、複数のＲＡＮパラメータのセットに対応する複数のＢＷＰインデックスを含む。複数セットのＲＡＮパラメータの各々は、特定のＰＨＹ構成に対応する。ＰＨＹ構成はそれぞれ、ＢＷＰの特定のＢＷＰ構成に対応するＢＷＰインデックスにマッピングすることができる。ＵＥ１４０２は、ＲＡＮプロファイルインデクシングメッセージを受信すると、ＢＷＰ構成（例えば、ＰＨＹ構成）及び後続の送信／受信動作のための対応するＢＷＰインデックスを保存する。セル１４０４は、ＮＲ通信ネットワークのＮＲｅＮＢ/ｇＮＢ、またはＬＴＥ／ＬＴＥ−Ａ通信ネットワークのｅＮＢを含んでもよいことに留意されたい。
【０１２６】
動作１４２０において、セル１４０４は、ＤＣＩメッセージ（ＤＣＩ＃Ｉ）をＵＥ１４０２に送信し、ＤＣＩメッセージは、特定のＢＷＰ構成＃I（例えば、ＢＷＰ＃Ｉ）の複数のセットのＰＨＹ構成のうちの1つに対応するＢＷＰインデックス（ＢＷＰインデックス＃Ｉ）を含むことができる。例えば、セル１４０４がＵＥ１４０２にＵＬ送信のためにＢＷＰ構成＃IのＰＨＹ構成を適用させることを決定するときに、セル１４０４は、ＢＷＰインデックス＃Ｉを示す情報を含むＤＣＩメッセージをＵＥ１４０２に送信してもよい。ＧＦリソース構成およびＧＦリソースの周期性は、ＢＷＰ構成＃Iに対応するＰＨＹ構成内に提供される。
【０１２７】
動作１４３０において、ＵＥ１４０２は、ＢＷＰインデックス＃IにおけるＵＬＧＦ構成に基づいてセル１４０４にデータを送信してもよい。図１４Ｂに見られるように、ＧＦリソースは、ＵＥ１４０２がＢＷＰ＃Ｉにおける周期的ＧＦリソースを使用してＲＢ＿Ａ、ＲＢ＿Ｂ、ＲＢ＿Ｃ等をセル１４０４に送信してもよいように、周期的に現れてもよい。
【０１２８】
動作１４４０において、セル１４０４は、ＤＣＩメッセージ(DCI＃B)をＵＥ１４０２に送信し、ＤＣＩメッセージは、1つの特定のＢＷＰ構成（ＢＷＰ＃Ｊ）に対応するＢＷＰインデックス（ＢＷＰインデックス＃Ｊ）を含む。ＤＣＩ＃Ｂを復号化すると、ＵＥ１４０２は、ＤＣＩ＃ＢにＢＷＰインデックス＃Jが示されたので、ＢＷＰ＃IからＢＷＰ＃Ｊに切り替える。一実施態様では、セル１４０４は、ＢＷＰ構成（例えば、ＢＷＰ＃Jの構成）を介してＧＦリソースをＵＥ１４０２に提供してもよい。
【０１２９】
動作１４５０において、ＵＥ１４０２は、ＢＷＰインデックス＃JにおけるＵＬＧＦ構成に基づいて、セル１４０４にデータを送信してもよい。図１４Ｂに見られるように、ＧＦリソースは、ＢＷＰ＃Ｊにおける周期的ＧＦリソースを使用して、ＵＥ１４０２がセル１４０４にＲＢ＿Ｘ、ＲＢ＿Ｙ等を送信してもよいように、周期的に現れてもよい。
【０１３０】
図１４Ａおよび１４Ｂは、ＵＬＧＦリソース送信に適用されるが、同様のアプローチが、ＤＬＧＦリソース送信に適用されてもよいことに留意されたい。
【０１３１】
図１５は、本出願の例示的な実施による、デュアルコネクティビティでのＲＡＮプロファイルインデックス提供の方法を示す図である。
【０１３２】
図１５に示されるように、動作１５１０において、ＰＣｅｌｌ１５０４およびＰｓＣｅｌｌ１５０６は、ＲＡＮプロファイルインデックスを取得するためにＵＥ１５０２とネゴシエートする必要があり得る。いくつかの実施形態では、ＰＣｅｌｌ１５０４は、ＰｓＣｅｌｌ１５０６とは異なるＲＡＮプロファイルインデックスを有していてもよい。図１５に示されるように、動作１５２２において、ＰＣｅｌｌ１５０４は、ＰＣｅｌｌ１５０４におけるＤＬリソース割当のために、リソース割当（例えば、ＲＢ１）および対応するＢＷＰインデックス（例えば、ＢＷＰインデックス＃２）を、ＣＣ＃１におけるＰＤＣＣＨ＃１を介して、ＵＥ１５０２に提供する。動作１５２４において、ＰＣｅｌｌ１５０４は、ＣＣ＃１におけるＰＤＳＣＨ＃１を介して、ＵＥ１５０２にＲＢ１を送信する。動作１５３０において、ＵＥ１５０２は、ＢＷＰ＃２のＰＨＹ構成に応答してＲＢ１復号を実行する。
【０１３３】
さらに、ＰｓＣｅｌｌ１５０６のリソース割当てについて、動作１５５２において、ＰｓＣｅｌｌ１５０６は、ＣＣ＃２内のＰＤＣＣＨ＃２を介して、ＰｓＣｅｌｌ１５０６（例えば、ＲＢ２）のリソース割当てと、対応するＢＷＰインデックス（ＢＷＰインデックス＃４）とを示す。動作１５５４において、ＰｓＣｅｌｌ１５０６は、ＣＣ＃２内のＰＤＳＣＨ＃２を介して、ＵＥ１５０２にＲＢ２を送信する。したがって、動作１５５６において、ＵＥ１５０２は、ＣＣ＃２内のＰｓＣｅｌｌ１５０６のＰＤＳＣＨ＃２上でＲＢ２を受信し（例えば、ＣＣ＃２は、ＳｅＮＢ内のＰＣＣとして動作する）、次いで、ＰｓＣｅｌｌ１５０６のＢＷＰ＃４のＰＨＹ構成に応答してＲＢ２を復号する。
【０１３４】
いくつかの実施形態では、ＰＣｅｌｌ１５０４およびＰｓＣｅｌｌ１５０６は、システム情報を介して、ＲＡＮプロファイルインデックシングをブロードキャスト送信してもよい。いくつかの実施形態では、ＰＣｅｌｌ１５０４およびＰｓＣｅｌｌ１５０６は、ＲＲＣ信号を介して、ＲＡＮプロファイルインデックシングをユニキャスト送信してもよい。本実施形態では、ＰｓＣｅｌｌ１５０６は、ＲＡＮプロファイルインデックシングおよびスケジューリングのそれぞれを容易にするためのＵＥ１５０２の能力を取得することが要求される。
【０１３５】
さらに、ＰＣｅｌｌ１５０４およびＰｓＣｅｌｌ１５０６は、ＲＡＮプロファイルインデックスを取得するために、ＵＥ１５０２とネゴシエートする必要があり得る。いくつかの実施形態では、ＰＣｅｌｌ１５０４は、ＰｓＣｅｌｌ１５０６とは異なるＲＡＮプロファイルインデックスを有しともよい。さらに、いくつかの実施形態では、ＰＣｅｌｌ１５０４は、ＰｓＣｅｌｌ１５０６がＵＥ１５０２と直接ネゴシエートしない場合、ＰｓＣｅｌｌ１５０６のＲＡＮプロファイル情報をＵＥ１５０２に中継ししてもよいし、その逆も同様である（すなわち、ＵＥ１５０２の能力情報をＰｓＣｅｌｌ１５０６に中継してもよい）。
【０１３６】
いくつかの実施形態では、ＰＣｅｌｌ１５０４は、ＭＣＧ（Master Cell Group）によって制御されるＭｅＮＢ（Master eNB）に属する。ＭＣＧは、セルのグループ（例えば、コンポーネントキャリア）を含んでもよく、ＵＥ1５０２は、ＭＣＧ内の1つのＰＣｅｌｌと通信する。図９Ａおよび図９ＢのＣＡにおけるＲＡＮプロファイルインデックシングは、ＭＣＧにおいて実施することができる。いくつかの実施形態では、ＰｓＣｅｌｌ１５０６は、ＳＣＧ（Secondary Cell Group）によって制御されるＳｅＮＢ(Secondary eNB)に属する。ＳＣＧは、セルのグループを含んでもよく、ＵＥは、ＳＣＧ内の1つのＰｓＣｅｌｌと通信する。図９Ａおよび図９ＢのＣＡにおけるＲＡＮプロファイルインデックシングは、ＳＣＧにおいて実施することができる。
【０１３７】
さらに、ＭＣＧおよびＳＣＧは、異なるＲＡＴ上に実装されてもよい。いくつかの実施形態では、ＭＣＧは、LTE advanced上に実装される。いくつかの実施形態では、ＭＣＧは、LTE−Advanced Pro上に実装される。いくつかの実施形態では、ＳＣＧは、ＮＲ上に実装される。いくつかの実施形態では、ＭＣＧは、ＮＲ上で実装される。いくつかの実施形態では、ＳＣＧはLTE Advanced上で実装され、さらに他の実施形態では、ＳＣＧはLTE-Advanced Pro上に実装される。より具体的には、ＬＴＥ／ＬＴＥ−Advanced Pro上、ＭＣＧまたはＳＣＧ、またはデフォルトＲＡＮプロファイル（例えば、デフォルトＢＷＰ構成）に実装されるＭＣＧまたはＳＣＧが適用される。
【０１３８】
図１６Ａは、本出願の例示的な実施形態による、デュアル接続におけるＲＡＮプロファイルインデックシング取得を示す概略図である。図１６Ａに示されるように、本実施形態では、ＳｅＮＢ１６０６は、ＵＥ１６０２と直接的にネゴシエートしない可能性があるため、ＭｅＮＢ１６０４は、ＲＡＮプロファイルインデックス（例えば、ＢＷＰインデックス）、ＰＨＹ構成（例えば、ＢＷＰ構成）、およびＳｅＮＢ１６０６によって提供されるＭＣＧおよびＳＣＧのソフトウェア／ハードウェア／バックホール／フロントホール能力を提供してもよい。次いで、ＭｅＮＢ１６０４は、ＲＡＮプロファイルインデクシング取得処理においてＭＣＧおよびＳＣＧの両方をカバーして、ＲＡＮプロファイルインデクシングメッセージを配信してもよい。より具体的には、ベアラ分割（bearer splitting）が（例えば、デュアル接続性のために）構成される場合、ＵＥ１６０２とＭｅＮＢ１６０４／ＳｅＮＢ１６０６との間のパケット送信／受信をサポートするために、共通のＲＡＮプロファイルインデックシングが要求されてもよい。さらに、いくつかの実施形態では、ＭＣＧおよび／またはＳＣＧの組み合わせが変更されると、ＲＡＮプロファイルインデックシングが修正される。
【０１３９】
別の実施形態では、ＭｅＮＢ１６０４／ＳｅＮＢ１６０６は、ＭＣＧ／ＳＣＧの能力に応じて、それぞれ、ＭＣＧ／ＳＣＧのＲＡＮプロファイルインデックスを決定してもよい。さらに、ＭｅＮＢ１６０４は、ＲＡＮプロファイルインデキシング取得処理中に、直接、ＵＥ１６０２とネゴシエートしてもよい。ＭｅＮＢ１６０４は、ＲＡＮプロファイルインデキシング取得処理中に、ＳｅＮＢ１６０６とＵＥ１６０２との間のシグナリングの中継を補助してもよい。ＭｅＮＢ１６０４は、ＲＡＮプロファイルのインデックスシングを、例えば、一つはＭＣＧのために、および他の一つはＳＣＧのために、ＵＥ１６０２へシグナリングしてもよい。さらに、ＳｅＮＢ１６０６は、ＳＣＧのＲＡＮプロファイルインデックシングを依然として決定してもよい。したがって、ＭＣＧおよびＳＣＧのＲＡＮプロファイルインデックシングは、ＭｅＮＢ１６０４のシグナリングを介してそれぞれ提供される。したがって、ＳＣＧの組み合わせが変更されると、ＳＣＧのＲＡＮプロファイルインデックシングを変更してもよい。ＭｅＮＢ１６０４は、ＵＥ１６０２と独占的にネゴシエートするので、ＭｅＮＢ１６０４が変更されると、ＭＣＧおよびＳＣＧの両方のＲＡＮプロファイルインデックシングは無効になってもよい。いくつかの実施形態では、ベアラ分割が適用されるとき、ＭｅＮＢ１６０４およびＳｅＮＢ１６０６は、ＭＣＧおよびＳＣＧのＲＡＮプロファイルインデックスを決定するために互いにネゴシエートしてもよい。
【０１４０】
図１６Ｂは、本出願の例示的な実施形態による、デュアルコネクティビティにおけるＲＡＮプロファイルインデックス取得を示す図である。図１６Ｂに示されるように、ＭｅＮＢ１６０４およびＳｅＮＢ１６０６は、ＲＡＮプロファイルインデクシング取得処理の間に、個別に／別々に、ＵＥ１６０２とネゴシエートしてもよい。したがって、ＭｅＮＢ１６０４/ ＳｅＮＢ１６０６は、それぞれ、ＭＣＧ／ＳＣＧの能力に応答して、ＭＣＧ／ＳＣＧのＲＡＮプロファイルインデックスを決定してもよい。さらに、ＭｅＮＢ１６０４および／またはＳｅＮＢ１６０６は、ＵＥ１６０２とネゴシエートするためにエアリンク接続を構築してもよい。したがって、ＵＥ１６０２、ＭｅＮＢ１６０４、およびＳｅＮＢ１６０６の間のダウンリンク制御シグナリングにおけるダイバーシティ（例えば、ＲＲＣダイバーシティ）を達成することができる。いくつかの実施形態では、ＲＡＮプロファイルインデクシングの取得処理中に、ＳｅＮＢ１６０６は、ＭｅＮＢ１６０４がＵＥ１６０２に制御シグナリングを中継するのを助けてもよく、および、その逆であってもよい。いくつかの実施形態では、ＭｅＮＢ１６０４およびＳｅＮＢ１６０６は、それぞれＵＥ１６０２とネゴシエートしてもよい。したがって、ＵＥ１６０２は、ＭｅＮＢ１６０４およびＳｅＮＢ１６０６のそれぞれによって提供される２つの独立したＲＡＮプロファイルインデクシング取得処理を認識することができる。いくつかの実施形態では、ＭｅＮＢ１６０４およびＳｅＮＢ１６０６は、ベアラ分割で、ＭＣＧおよびＳＣＧのＲＡＮプロファイルインデックスを決定するために、互いにネゴシエートする必要があり得る。
【０１４１】
さらに、いくつかの実施形態では、ＵＥは、セルからＲＡＮプロファイルインデックスを取得した後に、確認信号を送信することが要求される。しかしながら、ＵＥが、ＲＲＣアイドル状態、ＲＲＣ非アクティブ状態、光接続ＲＲＣ接続状態、光接続ＲＲＣアイドル状態にある場合、ＵＥは、確認信号を送信する必要がなく、例えば、セルは、これらのＲＲＣ状態に適用されるＲＡＮプロファイルインデックシングが、これらのＲＲＣ状態にあるすべてのＵＥに対して実行可能であることを保証しなければならない。ユニキャストＲＡＮプロファイルインデクシングシグナリングの実施形態では、ＵＥがＲＡＮプロファイルインデキシングシグナリングを受信すると、ＵＥは、セルがサポートしないＲＡＮプロファイルのリストを含む確認メッセージに応答してもよい。いくつかの他の実施形態では、ＵＥ１６０２は、ＵＥが1つのＲＡＮプロファイルのＰＨＹ構成の少なくとも部分をサポートしない場合、セルに失敗のメッセージを送信してもよい。本実施形態では、キャリアアグリゲーションにおいて、ＰＣｅｌｌは、ＲＡＮプロファイルインデクシング取得処理の間にＵＥとネゴシエートする。したがって、ＵＥは、確認メッセージをＰＣｅｌｌに送信する。
【０１４２】
本実施形態では、デュアル接続において、ＵＥは、確認メッセージをＭｅＮＢに直接送信する。ＵＥは、ＭＣＧおよびＳＣＧのＲＡＮプロファイルインデックシングのために２つの確認メッセージをそれぞれ作成する必要がある。次いで、ＵＥは、ＭｅＮＢへのＵＬシグナリング上で２つの確認メッセージを多重化する。次いで、ＭｅＮＢは、確認メッセージを逆多重化し、ＳＣＧＲＡＮプロファイルインデックシングの確認メッセージをＳｅＮＢに転送してもよい。いくつかの他の実施形態では、ＵＥは、ＭＣＧＲＡＮプロファイルインデックシングおよびＳＣＧＲＡＮプロファイルインデックシング用の確認メッセージを、ＭｅＮＢおよびＳｅＮＢにそれぞれ送信してもよい。いくつかの実施形態では、ＵＥは、ＳｅＮＢへのＵＬシグナリング上で確認メッセージのうちの２つを多重化してもよい。ＳｅＮＢは、確認メッセージを逆多重化し、次いで、ＳｅＮＢがＭｅＮＢのための制御シグナルを転送するのを助ける場合、ＭＣＧＲＡＮプロファイルインデックスの確認メッセージをＭｅＮＢに転送してもよい。ＵＥは、ＲＡＮプロファイルインデックシングのための確認メッセージを送信した後に、ＲＡＮプロファイルインデックシングの能力に応答する。
【０１４３】
ブロードキャストＲＡＮプロファイルインデキシングシグナリングの実施形態では、ＲＲＣ接続確立中に、ＵＥは、ＲＡＮプロファイルインデキシングを取得し、ＵＥ能力ネゴシエーションにおけるＲＡＮプロファイルインデキシングの能力に応答してもよい。例えば、ＲＡＮプロファイルインデキシングの無効性を示すＲＡＮプロファイルインデキシング確認情報要素（ＩＥ）は、UE CapabilityInformationメッセージに含まれる。本実施形態では、セルは、ＵＥから確認シグナリングを受信した後は、ＲＡＮプロファイルインデックスを再構成しない。さらに、ＲＡＮプロファイル（例えば、ＢＷＰ構成）をサポートしないＵＥに対しては、セルはこの情報を保持し、その特定のＲＡＮプロファイルをＵＥのスケジュールアカウントに入れない。さらに、いくつかの実施形態では、ＵＥが、ブロードキャストされたＲＡＮプロファイルインデックシングにおいてＰＨＹ構成（たとえば、ＢＷＰ構成）をサポートしない場合、セルは、デフォルトＰＨＹ構成（たとえば、デフォルトＢＷＰ構成）によってＵＥにサービス提供する。いくつかの実施形態では、ＵＥが、ブロードキャストされたＲＡＮプロファイルインデックシングにおいてＰＨＹ構成をサポートしない場合、セルは、単に、ＵＥをレガシーＵＥとして扱う。ＵＥは、ＲＡＮプロファイルインデックシングのための確認メッセージを送信した後に、ＲＡＮプロファイルインデックシングの能力に応答する。
【０１４４】
さらに、セルは、以下の場合において、ＲＡＮプロファイル（例えば、ＢＷＰ構成）インデックスを再構成してもよい。
１  新しいＲＡＮプロファイルを追加する。
２  以前のＲＡＮプロファイルを削除する。
３  １つの特定のＲＡＮプロファイルのＰＨＹ構成を変更する。
４  既存のＲＡＮプロファイルをすべて取り消す。
【０１４５】
いくつかの実施形態では、ＲＡＮプロファイルインデックシング再構成のために、表２に示されるように、セルは、実施されている変化を指定するための動作フィールドを有するＲＲＣ信号（例えば、RRCConnectionReconfiguraiton message)を送信してもよい。いくつかの実施形態では、ＲＡＮプロファイルインデックシング再構成について、セルは、実施されている変化を指定するための動作フィールドとともに特定のシステム情報を送信することができる。
表２：ＲＲＣシグナリングにおけるＲＡＮプロファイルインデックス変更の表示
【０１４６】
【表２】
0006934588.tif 000003
ＵＥが動作フィールドを読み取った後、ＵＥは、動作フィールドに応答してＲＡＮプロファイルインデックシングの動作を実行する。例えば、ＵＥが「１０」のビットを含む動作フィールドを読み取ると、セルは、変更された構成を表すデルタ情報を有するＲＡＮプロファイルインデックス（例えば、ＢＷＰインデックス）を示し、図６に示される形式を適用してもよい。さらに、動作フィールドの新しいビットマップが作成されるときは、図７に示される形式が適用されてもよい。
【０１４７】
いくつかの実施形態では、ＲＡＮプロファイルインデックシングの再構成のために、セルは、異なる目的のためにそれぞれのダウンリンク制御メッセージ（例えば、ProfileAdd / ProfileDelete / ProfileModify/ ProfileCancelなどのRRC信号）を使用する。さらに、いくつかの実施形態では、セルは、キャリアアグリゲーション内にＰＣｅｌｌを含む。他の実施形態では、セルは、デュアル接続においてＭｅＮＢ／ＳｅＮＢで置き換えられてもよい。さらに、ＵＥは、ＲＡＮプロファイルインデキシング変更のサポートを通知するために確認メッセージを送信してもよい。
【０１４８】
図１７は、本出願の例示的な実施形態による、サイドリンク機構のためのＲＡＮプロファイルインデックス提供を示す図である。動作１７１０において、ＵＥ１７０２およびＵＥ１７０４は、セル１７０６とのＲＡＮプロファイルインデックスを用いて構成される。動作１７２２において、セル１７０６は、少なくとも1つのサイドリンクパケットをＵＥ１７０２に送信するために、（例えば、ＲＲＣ信号を介して）サイドリンクリソース割当メッセージを１７０４に提供してもよい。セル１７０６は、セル１７０６が少なくとも1つのサイドリンクパケットをＵＥ１７０２に配信するために、サイドリンクリソース割当メッセージにおいて少なくとも1つのＲＢを割当てもよい。本実施形態では、ＲＢを復号するためのＢＷＰインデックス（例えば、ＢＷＰインデックス＃２）は、動作１７２２においてセル１７０６によって提供されるサイドリンクリソース割当メッセージに含まれてもよい。
【０１４９】
いくつかの実施形態では、セル１７０６は、ＵＥ１７０２にサイドリンク制御情報(Sidelink Control Information)（ＳＣＩ）を配信するために、ＵＥ１７０４にＲＢを割当る。動作１７２４において、ＵＥ１７０４は、ＳＣＩ内の少なくとも1つのサイドリンクパケットのリソース割当およびＢＷＰインデックスを配信してもよい。動作１７３０において、ＵＥ１７０２は、少なくとも1つのサイドリンク（ＳＬ）パケットを取得するために、ＢＷＰインデックス（ＢＷＰインデックス＃２）に基づいてサイドリンクリソース割当を取得するために、ＲＡＮプロファイルインデックシングに応答して、ＳＣＩを復号する。一実施形態では、セル１７０６がＳＣＩのＢＷＰインデックスをＵＥ１７０２およびＵＥ１７０４に示さない場合、ＵＥ１７０４は、デフォルトＢＷＰインデックスに基づいてＳＣＩを配信してもよい。動作１７４０において、ＵＥ１７０２は、少なくとも1つのＳＬパケットを取得するためにＲＢを復号するために（例えば、ＢＷＰ＃２を使用して）ＢＷＰインデックスに基づいてＳＬパケットを復号してもよい。
【０１５０】
図１８は、本出願の例示的な実施形態による、セル用の無線通信機器を示すブロック図である。上記無線通信機器は、図１〜図１７に関連して上述したＲＡＮプロファイルインデキシング方法を実施するように構成されてもよい。図１８において、無線通信装置１８００は、アンテナモジュール１８１０、通信モジュール１８２０、メモリ１８３０、および処理ユニット１８４０を備える。アンテナモジュール１８１０は、通信モジュール１８２０に結合される。通信モジュール１８２０およびメモリ１８３０は、処理ユニット１８４０に結合するように構成されている。
【０１５１】
アンテナモジュール１８１０は、１つまたは複数のアンテナを備えてもよく、そのサービングセル内の１つまたは複数のＵＥと、ビームフォーミング全送信を実行するように構成されてもよい。通信モジュール１８２０は、上記セルが、アンテナモジュール１８１０を用いて、セルカバレージ内の上記ＵＥとのデータ送受信を実行することを可能にするための、１つまたは複数の送信機および１つまたは複数の受信機を備えてもよい。
【０１５２】
処理ユニット１８４０は、セルの動作を制御し、セルの中央処理中核として機能するように構成される。メモリ１８３０は、処理ユニット１８４０による実行のためのプログラム命令を記憶するように構成されている。メモリ１８３０はさらに、ＲＡＮプロファイルインデックシングデータ（例えば、ＢＷＰインデックス）および対応するＰＨＹ構成の設定（例えば、ＢＷＰ構成）を保存するためのメモリ空間を割当るように構成されている。処理ユニット１８４０による実行時に記憶されたプログラム命令は、処理ユニット１８４０に、ＲＡＮプロファイルインデックスをシグナリングするための前述の１つまたは複数の方法を実行させる。
【０１５３】
一実施形態では、無線通信機器１８００は、さらに、タイマ（図１８には明示しない）を備えてもよい。タイマは、無線通信機器１８００が、ブロードキャストまたはユニキャスト送信によって、その無線カバレージ内の１つ以上のＵＥに、上記ＲＡＮプロファイルインデックシング情報をシグナリングした後、所定の時間間隔を計時するように構成される。上記所定の時間間隔の間、無線通信装置１８００は、その現在のＲＡＮプロファイルインデキシングおよびＰＨＹ構成に対して更新を行わなくてもよい。
【０１５４】
さらに、無線通信装置１８００は、セルのネットワーク動作をサポートするための他の必須のネットワーク要素をさらに含んでもよく、本出願にとって必須ではない。このような要素の詳細は、簡潔にするためにここでは省略する。
【符号の説明】
【０１５５】
３０２、４１３ａ、４１３ｂ、５１３ａ、５１３ｂ、９０２、１１０２、１３０２、１４０２、１５０２、1５０２、１６０２、１７０２、１７０４  ユーザ機器
３０４、４１０ａ、４１０ｂ、５１０ａ、５１０ｂ、１１０４、１３０４、１４０４、１７０６  セル
１００Ａ、２００Ａ、２００Ｂ、２００Ｃ、８００Ａ、８００Ｂ、１２００Ａ  コンポーネントキャリア
１０１、１０３、１０５、２０２Ｂ、２０２Ｃ、８９０Ａ、８９０Ｂ  ＢＷＰ
１０４、１０６、１１００  サブフレーム
４００、５００  無線通信システム
４１１ａ、４１１ｂ、５１１ａ、５１１ｂ、１８００  無線通信装置
７１０  ビットマップ
７２１  サブキャリアスペーシング
７２３  チャネルコーディングモード
７２７  ＣＰ長値
８７０Ａ、８７０Ｂ  物理リソースブロック
１１１１  ＰＤＣＣＨ
１１１３Ａ、１１１３Ｂ、１１１３Ｃ、１３１３Ａ  ミニスロット
１１１５Ａ、１１１５Ｂ  １１１５Ｃ  制御サーチ空間
１１５０  ブロック
１６０４、１６０６  ＮＢ
１８１０  アンテナモジュール
１８２０  通信モジュール
１８３０  メモリ
１８４０  処理ユニット
２０２Ａ  ペアＢＷＰ
２０２Ｂ、２０２Ｃ  非ペアＢＷＰ
８８０Ａ、８８０Ｂ  デフォルトＢＷＰ
【図１】
0006934588.tif 000004
【図２Ａ】
0006934588.tif 000005
【図２Ｂ】
0006934588.tif 000006
【図３】
0006934588.tif 000007
【図４】
0006934588.tif 000008
【図５】
0006934588.tif 000009
【図６】
0006934588.tif 000010
【図７】
0006934588.tif 000011
【図８Ａ】
0006934588.tif 000012
【図８Ｂ】
0006934588.tif 000013
【図９Ａ】
0006934588.tif 000014
【図９Ｂ】
0006934588.tif 000015
【図１０Ａ】
0006934588.tif 000016
【図１０Ｂ】
0006934588.tif 000017
【図１１Ａ】
0006934588.tif 000018
【図１１Ｂ】
0006934588.tif 000019
【図１２】
0006934588.tif 000020
【図１３Ａ】
0006934588.tif 000021
【図１３Ｂ】
0006934588.tif 000022
【図１４Ａ】
0006934588.tif 000023
【図１４Ｂ】
0006934588.tif 000024
【図１５】
0006934588.tif 000025
【図１６Ａ】
0006934588.tif 000026
【図１６Ｂ】
0006934588.tif 000027
【図１７】
0006934588.tif 000028
【図１８】
0006934588.tif 000029